(57)【特許請求の範囲】
【請求項１】
貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、
前記接続手段は、上下方向に隣接する２つの貯蔵室ユニットのうち下側の前記貯蔵室ユニットの前記断熱箱の天面に形成された凹部に収納される部分と上側の前記貯蔵室ユニットの前記断熱箱の底面に形成された凹部に収納される部分とからなる接続プレートと、前記断熱箱の天面または底面の凹部に収納された前記接続プレートを前記断熱箱に固定する締結部品とを有し、
前記凹部は、断熱箱の天面と底面の左右端部近傍にそれぞれ形成され、
前記締結部品は、前記断熱箱の左右側面に露出する部分を操作することにより、前記接続プレートを前記凹部における前記断熱箱の左右側面に対して平行な面に密着させることができるように構成されていることを特徴とするコンポーネント冷蔵庫。
【請求項２】
締結部品は、螺旋状の溝をきざんだ円柱部と頭部とからなる螺子で構成され、前記円柱部が前記断熱箱の左右側面と前記凹部との間の壁に形成された前記円柱部の外径より大きく前記頭部の外径より小さい孔と接続プレートに形成された前記円柱部と嵌合する孔とに前記断熱箱の左右側面側から挿入され、前記断熱箱の左右側面に露出する前記頭部を所定方向に回転させることにより、前記接続プレートを前記断熱箱の左右側面と前記凹部との間の壁に密着させることを特徴とする請求項１記載のコンポーネント冷蔵庫。
【請求項３】
各貯蔵室ユニットにおいて、断熱箱の底面の凹部と前記断熱箱の底面の前記凹部に収納される接続プレートとの間にできる前後方向の隙間を、前記断熱箱の天面の凹部と前記断熱箱の天面の前記凹部に収納される接続プレートとの間にできる前後方向の隙間よりも大きくしたことを特徴とする請求項１または２記載のコンポーネント冷蔵庫。
【請求項４】
各貯蔵室ユニットを構成する断熱箱の天面を、連続した一つの平面で構成し、前記断熱箱の底面を、前記底面の外周部を構成する平面と、前記底面の外周部を構成する前記平面よりも前記断熱箱の内部側に凹んだ面とで構成したことを特徴とする請求項１から３のいずれか一項記載のコンポーネント冷蔵庫。
【請求項５】
貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、
断熱箱が外箱と内箱との間に断熱材を有する構造で、冷却手段に放熱面がブライン循環経路を循環するブラインにより冷却されるペルチェ素子を用いた貯蔵室ユニットを備え、
前記ブライン循環経路の一部を、前記断熱箱における扉と対向する貯蔵室の開口部の外周部分の前記外箱に内面側から熱交換可能に当接する外周パイプと、前記断熱箱の天面部分の前記外箱に内面側から熱交換可能に当接する天井パイプとで構成し、
前記ブライン循環経路は、ペルチェ素子の放熱面とブラインとを熱交換させるブライン熱交換器と、前記ブラインと庫外の空気とを熱交換させるブライン冷却器と、前記ブラインを循環させるブライン循環用ポンプと、外周パイプと、天井パイプとからなり、
前記ブライン熱交換器から流出したブラインが、前記ブライン冷却器により冷却される前に、前記外周パイプと前記天井パイプとを通過するように前記ブライン循環経路を構成したことを特徴とするコンポーネント冷蔵庫。
【請求項６】
貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、
冷却手段としてペルチェ素子と前記ペルチェ素子の放熱面をブラインにより冷却するブライン熱交換器とを備えた貯蔵室ユニットと、前記貯蔵室ユニットの前記ブライン熱交換器から流出したブラインを庫外の空気により冷却するブライン冷却器を有する放熱ユニットと、前記貯蔵室ユニットと前記放熱ユニットとの間に取り付け取り外し可能に設けられ前記ブライン熱交換器と前記ブライン冷却器とを環状に連接する接続パイプとからなるコンポーネント冷蔵庫。
【請求項７】
上側ヒンジと下側ヒンジとにより左右方向に開閉自在に断熱箱に取り付けられる扉の高さ寸法は、前記扉が取り付けられる前記断熱箱の高さ寸法より小さく、
前記扉を上下方向から挟持する前記上側ヒンジと前記下側ヒンジは、前記上側ヒンジは前記断熱箱の天面より上方に突出しないように、前記下側ヒンジは前記断熱箱の底面より下方に突出しないように、前記断熱箱における前記扉と対向する貯蔵室の開口部の外周部分の前面に取り付けられることを特徴とする請求項１から６のいずれか一項記載のコンポーネント冷蔵庫。
【請求項８】
貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、
複数の貯蔵室ユニットは、除霜水または結露水を庫外に排水するための排水口を備えると共に上下方向に３段以上積み重ねられ、
最下段の貯蔵室ユニットには、排水された除霜水または結露水を受ける排水受け皿が設けられ、
最上段と最下段を除いた中段の貯蔵室ユニットの排水口には、略Ｔ字型接続パイプの一端が接続され、
最下段より上段の各貯蔵室ユニットの除霜水または結露水が、一つに集められて最下段の貯蔵室ユニットに設けられた排水受け皿に排水されるように、最上段の貯蔵室ユニットの排水口と前記略Ｔ字型接続パイプの残りの二端にそれぞれ排水パイプが接続されていることを特徴とするコンポーネント冷蔵庫。
【請求項９】
貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、
凝縮器または放熱器を備えた貯蔵室ユニットは、前記凝縮器または前記放熱器が前記貯蔵室ユニットの断熱箱の天面から上方に突出しないように且つ前記断熱箱の底面から下方に突出しないように前記凝縮器または前記放熱器を配置しており、
各貯蔵室ユニットは、断熱箱の底面に、車輪または脚を着脱可能に取り付けるための複数の穴を備え、
最下段の貯蔵室ユニットは、断熱箱の底面の複数の前記穴に車輪または脚を取り付けていることを特徴とするコンポーネント冷蔵庫。
【発明の詳細な説明】
【０００１】
【発明の属する技術分野】
本発明は、家庭用冷蔵庫に関するものであり、特に温湿度環境等目的別に作られた貯蔵室を組み合わせて構成するコンポーネント冷蔵庫に関するものである。
【０００２】
【従来の技術】
従来のこの種のコンポーネント冷蔵庫としては、特開平６−１５９９１１号公報に開示されているものがある。
【０００３】
以下、図面を参照しながら上記従来のコンポーネント冷蔵庫を説明する。図１０は、従来のコンポーネント冷蔵庫の縦断面図である。
【０００４】
図１０において、１は冷凍室１ａを有する冷凍室ユニットであり、冷凍室１ａの前面に冷凍室１ａを開閉する扉２を有する。
【０００５】
３は上下に区画された上段冷蔵室３ａ、下段冷蔵室３ｂを有する冷蔵室ユニットであり、上段冷蔵室３ａ、下段冷蔵室３ｂの前面にそれぞれ、上段冷蔵室３ａ、下段冷蔵室３ｂを開閉する扉４ａ，４ｂを有する。
【０００６】
なお、上段冷蔵室３ａと下段冷蔵室３ｂとを仕切る仕切板には上段冷蔵室３ａと下段冷蔵室３ｂとを連通させる連通孔が形成されている。
【０００７】
５は圧縮機、６は凝縮器、８は蒸発器であり、キャピラリチューブ（図示せず）と共に冷凍サイクルを構成する。
【０００８】
９は各室１ａ，３ａ，３ｂ内の空気を循環させるためのファン、１０は冷凍室への冷気の流入量を調節するためのダンパーであり、１１ａ，１１ｂはそれぞれ上段冷蔵室３ａ、下段冷蔵室３ｂへの冷気の流入量を調節するためのダンパーである。
【０００９】
１２は冷凍室１ａの奥に設けた冷凍室風路、１３は上段冷蔵室３ａ、下段冷蔵室３ｂの奥に設けた冷蔵室風路である。
【００１０】
１４は機械室ユニットで、内部に区画した冷却室１５を構成し、冷却室１５内部には、蒸発器８が設置されている。
【００１１】
また、冷却室１５内には、ファン９が設置され蒸発器８で冷却した空気を、冷却室１５のファン９設置側の一端に設けた吹き出し口１６より吹き出し、他端に設けた吸い込み口１７より吸気する。
【００１２】
また、圧縮機５と凝縮器６は、冷却室１５の外側で機械室ユニット１４に配置されている。
【００１３】
また、冷凍室ユニット１、冷蔵室ユニット３、機械室ユニット１４は、それぞれ分離独立しており、上から機械室ユニット１４、冷凍室ユニット１、冷蔵室ユニット３の順に積み重ねて一体となる。
【００１４】
なお、各ユニット１，３，１４を順に積み重ねて一体化したときに、冷凍室風路１２は、吹き出し口１６に連通して接続し、更に冷凍室風路１２は、冷蔵室風路１３に連通して接続している。
【００１５】
また、冷蔵室ユニット３の天板に形成した連通孔と冷凍室ユニット１の底板に形成した連通孔とにより、上段冷蔵室３ａと冷凍室１ａとが連通する。また、機械室ユニット１４の吸い込み口１７と冷凍室ユニット１の天板に形成した連通孔とにより、冷凍室１ａと冷却室１５とが連通する。
【００１６】
次に上記従来のコンポーネント冷蔵庫の動作について説明する。
【００１７】
圧縮機５の運転により、圧縮された冷媒は、凝縮器６にて凝縮液化し、キャピラリチューブにて減圧され、蒸発器８で蒸発する。
【００１８】
また、ファン９の運転により吸い込み口１７から冷却室１５に吸い込まれた空気は、蒸発器８にて冷却され、ファン９を通過して、吹き出し口１６より吐き出され、冷凍室風路１２、冷蔵室風路１３へと流れる。
【００１９】
ここで、各ダンパー１０，１１ａ，１１ｂは、それぞれ各室の温度設定に合わせた開度に調整されており、ダンパー１０を通過した冷気が冷凍室１ａに流入し、ダンパー１１ａを通過した冷気が上段冷蔵室３ａに流入し、ダンパー１１ｂを通過した冷気が下段冷蔵室３ｂに流入する。下段冷蔵室３ｂ内の空気は連通孔を通って上段冷蔵室３ａ内に流入し、上段冷蔵室３ａ内の空気は連通孔を通って冷凍室１ａ内に流入し、冷凍室１ａ内の空気は連通孔と吸い込み口１７とを通って冷却室１５内に戻る。
【００２０】
また、冷凍室ユニット１と冷蔵室ユニット３の組み合わせは、冷凍室風路１２と冷蔵室風路１３との接続部を位置決め用凹凸により冷気シールすると共に、冷凍室ユニット１、冷蔵室ユニット３に取り付けた平板形状のヒンジ１９同士を固定して一体化する。
【００２１】
【発明が解決しようとする課題】
しかしながら、上記従来のコンポーネント冷蔵庫は、機械室ユニット１４の冷却室１５内の冷気を、冷凍室ユニット１の冷凍室１ａや冷蔵室ユニット３の上段冷蔵室３ａと下段冷蔵室３ｂとに導入して各室１ａ，３ａ，３ｂを冷却する構成となっているので、各ユニットの配置、組み合わせパターンが限られており、各ユニットの連結部分から冷気が漏れないように工夫する必要がある。
【００２２】
また、冷凍室ユニット１と冷蔵室ユニット３との接触面の露付きを防止する必要がある。
【００２３】
また、冷凍室ユニット１と冷蔵室ユニット３を固定するヒンジ１９を、冷凍室ユニット１と冷蔵室ユニット３との接触面から突出しないように面一に保つ必要がある。
【００２４】
さらに、冷気の流路の関係で、冷凍室ユニット１や冷蔵室ユニット３を、容積の異なるものに変えたり、ユニットの数を増減すると各貯蔵室内を精度よく温度調節することができないという欠点があった。
【００２５】
本発明は、上記従来の課題を解決するもので、各貯蔵室ユニットを自由に配置、簡単に組み合わせ、容積の変更、増減することができ、各貯蔵室ユニットの連結部分から冷気が漏れるおそれがなく、各貯蔵室内を精度よく温度調節できるコンポーネント冷蔵庫を提供することを目的とする。
【００２６】
【課題を解決するための手段】
上記目的を達成するため、本発明の請求項１記載のコンポーネント冷蔵庫の発明は、貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、前記接続手段は、上下方向に隣接する２つの貯蔵室ユニットのうち下側の前記貯蔵室ユニットの前記断熱箱の天面に形成された凹部に収納される部分と上側の前記貯蔵室ユニットの前記断熱箱の底面に形成された凹部に収納される部分とからなる接続プレートと、前記断熱箱の天面または底面の凹部に収納された前記接続プレートを前記断熱箱に固定する締結部品とを有し、前記凹部は、断熱箱の天面と底面の左右端部近傍にそれぞれ形成され、前記締結部品は、前記断熱箱の左右側面に露出する部分を操作することにより、前記接続プレートを前記凹部における前記断熱箱の左右側面に対して平行な面に密着させることができるように構成されているものである。
【００２７】
本発明のコンポーネント冷蔵庫では、各貯蔵室ユニットの貯蔵室を貯蔵室ユニット毎に設けた専用の冷却手段で冷却させ、他のユニットへの冷気の流出、および、他のユニットからの冷気の流入を不要にしたので、各貯蔵室ユニットを自由に配置、組み合わせ、容積の変更、増減することができ、各貯蔵室ユニットの連結部分から冷気が漏れるおそれがなく、各貯蔵室内を精度よく温度調節できるコンポーネント冷蔵庫を提供できるという作用を有する。
【００２８】
また、使用する（被冷却物を収納した）貯蔵室ユニットのみ電源を入れて、その貯蔵室を冷却し、使用しない（被冷却物を収納していない）貯蔵室ユニットについては、その貯蔵室を冷却するための電源を入れないようにすることにより、消費電力を低減できるという作用を有する。
【００２９】
また、各貯蔵室ユニットを配置、組み合わせた後、隣接する２つの貯蔵室ユニットを接続する接続手段を使って、接続部分を固定し、組み合わせた状態を維持できるという作用を有する。
【００３１】
また、上下方向に隣接する２つの貯蔵室ユニットを接続する接続手段のうち、両方の貯蔵室ユニットに跨るように設けられる接続プレートが、下側の貯蔵室ユニットの断熱箱の天面の凹部と上側の貯蔵室ユニットの断熱箱の底面の凹部とに収納されて、冷蔵庫の周囲からは接続プレートが見えず、接続プレートが貯蔵室ユニットの断熱箱の側面から出っ張らないため、接続部分の美観に優れ、且つ上下方向に隣接する２つの貯蔵室ユニットを接続するという機能も果たすことができるという作用を有する。
【００３２】
また、接続プレートが貯蔵室ユニットの断熱箱の側面から出っ張らず、断熱箱の底面の凹部に接続プレートを収納しない最下段の貯蔵室ユニットについては、断熱箱の底面の凹部は通常は見えないため底面の凹部が目立たず、断熱箱の天面の凹部に接続プレートを収納しない最上段の貯蔵室ユニットについては、天面の凹部が目立ちにくいように、凹部の大きさ、形状、位置を設定することができ、また、天面の凹部に嵌合する別部品で天面の凹部を塞ぐことも可能であるため、断熱箱の天面の凹部を目立たなくでき、各貯蔵室ユニットの接続による制限を意識することなく各貯蔵室ユニットを自由に配置、組み合わせできるという作用を有する。
【００３３】
また、配置、組み合わせを変更する場合についても、締結部品を操作して接続プレートの断熱箱への密着固定状態を解き、断熱箱の底面の凹部から接続プレートが抜け出るまで上側の貯蔵室ユニットを持ち上げた後、下側の貯蔵室ユニットの断熱箱の天面の凹部から接続プレートを抜き取ることにより、接続前の状態に戻せるため、各貯蔵室ユニットの配置、組み合わせ、及び配置、組み合わせの変更が容易に行えるという作用を有する。
【００３５】
また、例えば、２つの貯蔵室ユニットを積み重ねて接続する場合の手順は、以下のようになる。
【００３６】
まず、下側になる貯蔵室ユニットの断熱箱の天面の左右端部近傍にそれぞれ形成された凹部にそれぞれ接続プレートを挿入し、次に、上側になる貯蔵室ユニットの断熱箱の底面の左右端部近傍にそれぞれ形成された各凹部に、下側になる貯蔵室ユニットの断熱箱の天面から突出している各接続プレートが入るように、上側になる貯蔵室ユニットを位置合わせして、上側になる貯蔵室ユニットを下側になる貯蔵室ユニットの上に載せ、上下の貯蔵室ユニットの前後左右の位置ずれがなくなるように上側の貯蔵室ユニットの位置を調節し、最後に、下側の貯蔵室ユニット用の締結部品における断熱箱の左右側面に露出する部分を操作して、各接続プレートの下部を下側の貯蔵室ユニットの断熱箱の天面の凹部における断熱箱の左右側面に対して平行な面に密着させると共に、上側の貯蔵室ユニット用の締結部品における断熱箱の左右側面に露出する部分を操作して、各接続プレートの上部を上側の貯蔵室ユニットの断熱箱の底面の凹部における断熱箱の左右側面に対して平行な面に密着させる。
【００３７】
さらに、上下に積み重ねる貯蔵室ユニットの断熱箱の向かい合う面の凹部に接続プレートを入れて、複数の貯蔵室ユニットを積み重ねて、上下の貯蔵室ユニットの前後左右の位置ずれを修正した後、締結部品における断熱箱の左右側面に露出する部分を操作して接続プレートを上下の貯蔵室ユニットの断熱箱に固定するという作業で、簡単に上下の貯蔵室ユニットの前後左右の位置ずれを修正した状態で上下に積み重ねる貯蔵室ユニットを接続でき、また、一旦接続した貯蔵室ユニットの配置、組み合わせを変更する場合についても、締結部品における断熱箱の左右側面に露出する部分を操作して、簡単に接続プレートの断熱箱への密着固定状態を解いて上下の貯蔵室ユニットの接続を解除することができるという作用を有する。
【００３８】
また、請求項２記載のコンポーネント冷蔵庫の発明は、請求項１記載の発明において、締結部品は、螺旋状の溝をきざんだ円柱部と頭部とからなる螺子で構成され、前記円柱部が前記断熱箱の左右側面と前記凹部との間の壁に形成された前記円柱部の外径より大きく前記頭部の外径より小さい孔と接続プレートに形成された前記円柱部と嵌合する孔とに前記断熱箱の左右側面側から挿入され、前記断熱箱の左右側面に露出する前記頭部を所定方向に回転させることにより、前記接続プレートを前記断熱箱の左右側面と前記凹部との間の壁に密着させるものである。
【００３９】
上記構成において、例えば、２つの貯蔵室ユニットを積み重ねて接続する場合の手順は、以下のようになる。
【００４０】
まず、下側になる貯蔵室ユニットの断熱箱の天面の左右端部近傍にそれぞれ形成された凹部にそれぞれ接続プレートを挿入し、螺子の円柱部を断熱箱の左右側面と凹部との間の壁に形成された孔と接続プレートに形成された孔とに断熱箱の左右側面側から挿入し、接続プレートが螺子の円柱部から外れず接続プレートが断熱箱の左右側面と凹部との間の壁に密着しない程度に、螺子の頭部を所定方向に回転させて接続プレートの孔と螺子の円柱部とを嵌合させる。
【００４１】
次に、上側になる貯蔵室ユニットの断熱箱の底面の左右端部近傍にそれぞれ形成された各凹部に、下側になる貯蔵室ユニットの断熱箱の天面から突出している各接続プレートが入るように、上側になる貯蔵室ユニットを位置合わせして、上側になる貯蔵室ユニットを下側になる貯蔵室ユニットの上に載せ、上側になる貯蔵室ユニットに対し、螺子の円柱部を断熱箱の左右側面と凹部との間の壁に形成された孔と接続プレートに形成された孔とに断熱箱の左右側面側から挿入し、接続プレートが螺子の円柱部から外れず接続プレートが断熱箱の左右側面と凹部との間の壁に密着しない程度に、螺子の頭部を所定方向に回転させて接続プレートの孔と螺子の円柱部とを嵌合させる。
【００４２】
次に、上下の貯蔵室ユニットの前後左右の位置ずれがなくなるように上側の貯蔵室ユニットの位置を調節し、最後に、下側の貯蔵室ユニット用の螺子における断熱箱の左右側面に露出する頭部を所定方向に回転させて、各接続プレートの下部を下側の貯蔵室ユニットの断熱箱の左右側面と凹部との間の壁に密着させると共に、上側の貯蔵室ユニット用の螺子における断熱箱の左右側面に露出する頭部を所定方向に回転させて、各接続プレートの上部を上側の貯蔵室ユニットの断熱箱の左右側面と凹部との間の壁に密着させる。
【００４３】
本発明のコンポーネント冷蔵庫では、請求項１記載の発明の作用に加え、締結部品として螺子を用い、断熱箱の左右側面に露出する螺子の頭部を所定方向に回転させて、接続プレートを貯蔵室ユニットの断熱箱の左右側面と凹部との間の壁に密着させるようにしたので、貯蔵室ユニットの断熱箱への接続プレートの密着固定を、接続プレートの孔と螺子の円柱部との位置合わせ後の螺子の頭部の所定方向への回転により、行うことができる。また、一旦接続した貯蔵室ユニットの配置、組み合わせを変更する場合についても、螺子における断熱箱の左右側面に露出する頭部を所定方向とは逆方向に回転させて、簡単に接続プレートの断熱箱への密着固定状態を解いて上下の貯蔵室ユニットの接続を解除することができるという作用を有する。
【００４４】
また、請求項３記載のコンポーネント冷蔵庫の発明は、請求項１または２記載の発明において、各貯蔵室ユニットにおいて、断熱箱の底面の凹部と前記断熱箱の底面の前記凹部に収納される接続プレートとの間にできる前後方向の隙間を、前記断熱箱の天面の凹部と前記断熱箱の天面の前記凹部に収納される接続プレートとの間にできる前後方向の隙間よりも大きくしたものである。
【００４５】
本発明のコンポーネント冷蔵庫では、請求項１または２記載の作用に加え、各貯蔵室ユニットにおいて、断熱箱の底面の凹部と前記断熱箱の底面の前記凹部に収納される接続プレートとの間にできる前後方向の隙間を、前記断熱箱の天面の凹部と前記断熱箱の天面の前記凹部に収納される接続プレートとの間にできる前後方向の隙間よりも大きくしたので、貯蔵室ユニットを積み重ねて接続する場合に、上側になる貯蔵室ユニットの断熱箱の底面の凹部に、下側になる貯蔵室ユニットの断熱箱の天面から突出している接続プレートを挿入しやすいという作用を有する。
【００４６】
また、上下方向に隣接する２つの貯蔵室ユニットにおける前後方向の位置ずれを調節する場合に調節可能な幅を大きくできるため、上下方向に隣接する２つの貯蔵室ユニットにおける前後方向の位置ずれを修正しやすく、前後方向の位置ずれをより確実に修正できるという作用を有する。
【００４７】
また、請求項４記載のコンポーネント冷蔵庫の発明は、請求項１から３のいずれか一項記載の発明において、各貯蔵室ユニットを構成する断熱箱の天面を、連続した一つの平面で構成し、前記断熱箱の底面を、前記底面の外周部を構成する平面と、前記底面の外周部を構成する前記平面よりも前記断熱箱の内部側に凹んだ面とで構成したものである。
【００４８】
本発明のコンポーネント冷蔵庫では、請求項１から３のいずれか一項記載の発明の作用に加え、２つの貯蔵室ユニットを上下に積み重ねた時に、下側の貯蔵室ユニットの断熱箱の天面に接触するのは、上側の貯蔵室ユニットの断熱箱の底面の外周部の平面だけであり、上側の貯蔵室ユニットの断熱箱の底面における外周部の平面よりも内周側の面と、下側の貯蔵室ユニットの断熱箱の天面との間には空間ができるため、上下に積み重ねた貯蔵室ユニットの接触面の露付きを防止でき、また、貯蔵室ユニットの断熱箱の底面を連続した一つの平面で構成した場合に較べて、発泡断熱材の発泡圧による断熱箱の外面の中央部分の膨らみの影響を受けにくく、上下に積み重ねた貯蔵室ユニットの接触面の隙間を小さくでき、そのため、上下に積み重ねた貯蔵室ユニットが安定し、美観に優れるという作用を有する。
【００４９】
また、請求項５記載のコンポーネント冷蔵庫の発明は、貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、断熱箱が外箱と内箱との間に断熱材を有する構造で、冷却手段に放熱面がブライン循環経路を循環するブラインにより冷却されるペルチェ素子を用いた貯蔵室ユニットを備え、前記ブライン循環経路の一部を、前記断熱箱における扉と対向する貯蔵室の開口部の外周部分の前記外箱に内面側から熱交換可能に当接する外周パイプと、前記断熱箱の天面部分の前記外箱に内面側から熱交換可能に当接する天井パイプとで構成し、前記ブライン循環経路は、ペルチェ素子の放熱面とブラインとを熱交換させるブライン熱交換器と、前記ブラインと庫外の空気とを熱交換させるブライン冷却器と、前記ブラインを循環させるブライン循環用ポンプと、外周パイプと、天井パイプとからなり、
前記ブライン熱交換器から流出したブラインが、前記ブライン冷却器により冷却される前に、前記外周パイプと前記天井パイプとを通過するように前記ブライン循環経路を構成したものである。
【００５０】
上記構成において、断熱箱における扉と対向する貯蔵室の開口部の外周部分の外箱に内面側から熱交換可能に当接する外周パイプの中と、断熱箱の天面部分の外箱に内面側から熱交換可能に当接する天井パイプの中とに、ブライン循環経路を循環しペルチェ素子の放熱面を冷却するブラインが流れる。
【００５１】
ところで、通常、ペルチェ素子の放熱面を冷却することにより温度が上昇したブラインを、ブライン循環経路の途中において冷蔵庫の周囲の空気との熱交換により冷却するため、ブライン循環経路を循環するブラインの温度は、一番低くても冷蔵庫の周囲の空気の温度より高くなるのが普通である。
【００５２】
本発明のコンポーネント冷蔵庫では、断熱箱における扉と対向する貯蔵室の開口部の外周部分の外箱に内面側から熱交換可能に当接する外周パイプの中と、断熱箱の天面部分の外箱に内面側から熱交換可能に当接する天井パイプの中とに、冷蔵庫の周囲の空気の温度より高い温度のブラインが流れて、断熱箱における扉と対向する貯蔵室の開口部の外周部分と断熱箱の天面部分の外箱の表面温度は結露温度より高くなるため、比較的露が付きやすい部位である断熱箱における扉と対向する貯蔵室の開口部の外周部分と断熱箱の天面部分の外箱の表面に露が付く可能性を大幅に減少できるという作用を有する。
【００５４】
本発明のコンポーネント冷蔵庫では、ブライン熱交換器から流出したブラインが、ブライン冷却器により冷却される前に、外周パイプと天井パイプとを通過するので、外周パイプと天井パイプにはブライン循環経路の中でも比較的温度が高いブラインが流れることになり、断熱箱における扉と対向する貯蔵室の開口部の外周部分と断熱箱の天面部分の外箱の表面温度は結露温度より余裕を持って高くなるため、比較的露が付きやすい部位である断熱箱における扉と対向する貯蔵室の開口部の外周部分と断熱箱の天面部分の外箱の表面に露が付く可能性をさらに大幅に減少できるという作用を有する。
【００５５】
また、請求項６記載のコンポーネント冷蔵庫の発明は、貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、冷却手段としてペルチェ素子と前記ペルチェ素子の放熱面をブラインにより冷却するブライン熱交換器とを備えた貯蔵室ユニットと、前記貯蔵室ユニットの前記ブライン熱交換器から流出したブラインを庫外の空気により冷却するブライン冷却器を有する放熱ユニットと、前記貯蔵室ユニットと前記放熱ユニットとの間に取り付け取り外し可能に設けられ前記ブライン熱交換器と前記ブライン冷却器とを環状に連接する接続パイプとからなるものである。
【００５６】
本発明のコンポーネント冷蔵庫では、貯蔵室内を冷却するペルチェ素子の放熱面を冷却するブラインの循環経路の一つを構成するブライン冷却器を、貯蔵室ユニットとは別ユニットの放熱ユニットに設ける場合であっても、ブライン熱交換器とブライン冷却器とを環状に連接する接続パイプを、放熱ユニットと貯蔵室ユニットとの間に取り付け取り外し可能に設けることにより、各貯蔵室ユニットと放熱ユニットとを自由に配置、組み合わせ、及び配置、組み合わせの変更が容易に行えるという作用を有する。
【００５７】
また、請求項７記載のコンポーネント冷蔵庫の発明は、請求項１から６のいずれか一項記載の発明において、上側ヒンジと下側ヒンジとにより左右方向に開閉自在に断熱箱に取り付けられる扉の高さ寸法は、前記扉が取り付けられる前記断熱箱の高さ寸法より小さく、前記扉を上下方向から挟持する前記上側ヒンジと前記下側ヒンジは、前記上側ヒンジは前記断熱箱の天面より上方に突出しないように、前記下側ヒンジは前記断熱箱の底面より下方に突出しないように、前記断熱箱における前記扉と対向する貯蔵室の開口部の外周部分の前面に取り付けられるものである。
【００５８】
本発明のコンポーネント冷蔵庫では、請求項１から６のいずれか一項記載の発明の作用に加え、上側ヒンジと下側ヒンジとにより扉を左右方向に開閉自在に断熱箱に取り付けた貯蔵室ユニットを使用する場合であっても、扉の高さ寸法を断熱箱の高さ寸法より小さくし、上側ヒンジが断熱箱の天面より上方に突出しないように、下側ヒンジが断熱箱の底面より下方に突出しないようにして、上側ヒンジ、下側ヒンジを断熱箱における扉と対向する貯蔵室の開口部の外周部分の前面に取り付けることにより、各貯蔵室ユニットを積み重ねることが可能になり、各貯蔵室ユニットを自由に配置、組み合わせることができるという作用を有する。
【００５９】
また、請求項８記載のコンポーネント冷蔵庫の発明は、貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、複数の貯蔵室ユニットは、除霜水または結露水を庫外に排水するための排水口を備えると共に上下方向に３段以上積み重ねられ、最下段の貯蔵室ユニットには、排水された除霜水または結露水を受ける排水受け皿が設けられ、最上段と最下段を除いた中段の貯蔵室ユニットの排水口には、略Ｔ字型接続パイプの一端が接続され、最下段より上段の各貯蔵室ユニットの除霜水または結露水が、一つに集められて最下段の貯蔵室ユニットに設けられた排水受け皿に排水されるように、最上段の貯蔵室ユニットの排水口と前記略Ｔ字型接続パイプの残りの二端にそれぞれ排水パイプが接続されているものである。
【００６０】
本発明のコンポーネント冷蔵庫では、複数の貯蔵室ユニットを上下方向に３段以上積み重ねる場合において、最上段と最下段を除いた中段の貯蔵室ユニットの排水口に一端が接続される略Ｔ字型接続パイプを介して連結される排水パイプを使って、最下段より上段の各貯蔵室ユニットの除霜水または結露水を、一つに集めて最下段の貯蔵室ユニットに設けた排水受け皿に排水することができ、複数の貯蔵室ユニットを上下方向に３段以上積み重ねる場合に排水受け皿が一つで済むという作用を有する。
【００６１】
また、請求項９記載のコンポーネント冷蔵庫の発明は、貯蔵室を形成する断熱箱と前記貯蔵室を開閉するための扉と前記貯蔵室内を冷却する冷却手段とからなる複数の貯蔵室ユニットと、隣接する２つの前記貯蔵室ユニットを接続する接続手段とからなり、
各貯蔵室ユニットは、それぞれ、各貯蔵室ユニットを自由に配置、組み合わせできるような形状、大きさを有しており、各貯蔵室ユニットを組み合わせた時に、互いに異なる温度帯に設定でき、冷気が互いに循環しないように独立した複数の貯蔵室を有する冷蔵庫として機能するようにし、凝縮器または放熱器を備えた貯蔵室ユニットは、前記凝縮器または前記放熱器が前記貯蔵室ユニットの断熱箱の天面から上方に突出しないように且つ前記断熱箱の底面から下方に突出しないように前記凝縮器または前記放熱器を配置しており、各貯蔵室ユニットは、断熱箱の底面に、車輪または脚を着脱可能に取り付けるための複数の穴を備え、最下段の貯蔵室ユニットは、断熱箱の底面の複数の前記穴に車輪または脚を取り付けているものである。
【００６２】
本発明のコンポーネント冷蔵庫では、凝縮器または放熱器を備えた貯蔵室ユニットは、凝縮器または放熱器が貯蔵室ユニットの断熱箱の天面から上方に突出しないように且つ断熱箱の底面から下方に突出しないように凝縮器または放熱器を配置しているため、凝縮器または放熱器を備えた貯蔵室ユニットを含む複数の貯蔵室ユニットを上下方向に積み重ねる場合に、凝縮器または放熱器が貯蔵室ユニットの積み重ねの障害にならず、各貯蔵室ユニットを自由に配置、組み合わせることができるという作用を有する。
【００６３】
また、各貯蔵室ユニットは、断熱箱の底面に、車輪または脚を着脱可能に取り付けるための複数の穴を備え、最下段の貯蔵室ユニットは、断熱箱の底面の複数の穴に車輪または脚を取り付けているので、最下段の貯蔵室ユニットとは別の貯蔵室ユニットを最下段にする場合には、最下段に位置していた貯蔵室ユニットの断熱箱の底面に取り付けていた車輪または脚を、新たに最下段となる貯蔵室ユニットの断熱箱の底面に取り付けて、新たに最下段となった貯蔵室ユニットの上に、残りの貯蔵室ユニットを新しい配置で積み重ねることで対応でき、また、複数の貯蔵室ユニットを上下方向だけでなく左右方向にも配置する場合は、新たに入手した車輪または脚を、新たに最下段となる貯蔵室ユニットの断熱箱の底面に取り付けることで対応できるため、床面に置く貯蔵室ユニットの断熱箱の底面に車輪または脚を設ける場合でも、各貯蔵室ユニットを自由に配置、組み合わせることができるという作用を有する。
【００６４】
【発明の実施の形態】
以下、本発明によるコンポーネント冷蔵庫の実施の形態について、図面を参照しながら説明する。
【００６５】
（実施の形態１）
図１は本発明の実施の形態１のコンポーネント冷蔵庫の外観斜視図である。図２は同実施の形態のコンポーネント冷蔵庫を左右に切断した場合の縦断面図である。図３は同実施の形態のコンポーネント冷蔵庫の冷却回路図である。図４は同実施の形態のコンポーネント冷蔵庫における上下に隣接する２つの貯蔵室ユニットを接続する接続手段の周辺部を示す要部縦断面図である。図５は同実施の形態のコンポーネント冷蔵庫における接続手段の接続プレートを貯蔵室ユニットの断熱箱天面の凹部に挿入した状態を示す要部斜視図である。図６は同実施の形態のコンポーネント冷蔵庫における上下に隣接する２つの貯蔵室ユニットの背面の接続方法を示す要部分解斜視図である。図７は同実施の形態のコンポーネント冷蔵庫における扉を断熱箱に取り付けるヒンジの周辺部を示す要部縦断面図である。図８は同実施の形態のコンポーネント冷蔵庫に用いる下側ヒンジの斜視図である。
【００６６】
図において、２０は、第１の貯蔵室２０ａを形成する断熱箱２０ｂと、第１の貯蔵室２０ａを開閉するための扉２０ｃとを有する第１の貯蔵室ユニットである。２１は、第２の貯蔵室２１ａを形成する断熱箱２１ｂと、第２の貯蔵室２１ａを開閉するための扉２１ｃとを有する第２の貯蔵室ユニットである。２２は、第３の貯蔵室２２ａを形成する断熱箱２２ｂと、第３の貯蔵室２２ａを開閉するための扉２２ｃとを有する第３の貯蔵室ユニットである。２３は、第４の貯蔵室２３ａを形成する断熱箱２３ｂと、第４の貯蔵室２３ａを開閉するための扉２３ｃとを有する第４の貯蔵室ユニットである。２４は放熱ユニットである。
【００６７】
第１の貯蔵室ユニット２０、第２の貯蔵室ユニット２１、第３の貯蔵室ユニット２２、第４の貯蔵室ユニット２３は、それぞれ独立であり、各貯蔵室ユニット２０，２１，２２，２３は、それぞれ、各貯蔵室ユニット２０，２１，２２，２３を自由に配置、組み合わせできるような形状、大きさを有しており、自由に分離組み合わせが可能であり、また、設置形態も積み重ねや横並び、またはそれらの組み合わせでの設置が可能である。また、各貯蔵室ユニット２０，２１，２２，２３を組み合わせた時に、互いに異なる温度帯に設定でき、冷気が互いに循環しないように独立した複数の貯蔵室を有する冷蔵庫として機能する。
【００６８】
各室の冷却負荷は、第４の貯蔵室２３ａ、第１の貯蔵室２０ａ，第２の貯蔵室２１ａ、第３の貯蔵室２２ａの順に小さくなると仮定し、また、第４の貯蔵室２３ａは冷凍温度帯、すなわち−１０℃以下、他は、冷蔵温度帯、すなわち０℃以上を想定している。
【００６９】
相対的に負荷の大きい冷蔵温度帯の貯蔵室を有する第１の貯蔵室ユニット２０は、第１の貯蔵室２０ａ内を冷却する冷却手段として第１のペルチェ素子２６を用いており、第１のペルチェ素子２６の冷却面には、第１の庫内熱交換器２７、放熱面には、第１のブライン熱交換器２８が設置されている。
【００７０】
第２の貯蔵室ユニット２１は、第２の貯蔵室２１ａ内を冷却する冷却手段として第２のペルチェ素子３０を用いており、第２のペルチェ素子３０の冷却面には、第２の庫内熱交換器３１、放熱面には、第２のブライン熱交換器３２が設置されている。
【００７１】
第３の貯蔵室ユニット２２は、第３の貯蔵室２２ａ内を冷却する冷却手段として第３のペルチェ素子３４を用いており、第３のペルチェ素子３４の冷却面には、第３の庫内熱交換器３５、放熱面には、第３のブライン熱交換器３６が設置されている。
【００７２】
また、第１、第２、第３の貯蔵室ユニット２０，２１，２２は、断熱箱２０ｂ，２１ｂ，２２ｂにおける扉２０ｃ，２１ｃ，２２ｃと対向する貯蔵室２０ａ，２１ａ，２２ａの開口部の外周部分の外箱５０に内面側から熱交換可能に当接するブライン循環用外周パイプ６４ａ，６４ｂ，６４ｃと、貯蔵室２０ａ，２１ａ，２２ａの天面部分と一部側面部分の外箱５０に内面側から熱交換可能に当接するブライン循環用天井パイプ６５ａ，６５ｂ，６５ｃとを、断熱材５５内に埋設している。
【００７３】
そして、第１のブライン熱交換器２８とブライン循環用外周パイプ６４ａとブライン循環用天井パイプ６５ａとブライン循環用ポンプ４６ａとを直列に接続したものと、第２のブライン熱交換器３２とブライン循環用外周パイプ６４ｂとブライン循環用天井パイプ６５ｂとブライン循環用ポンプ４６ｂとを直列に接続したものと、第３のブライン熱交換器３６とブライン循環用外周パイプ６４ｃとブライン循環用天井パイプ６５ｃとブライン循環用ポンプ４６ｃとを直列に接続したものとは並列に接続されている。
【００７４】
また、第１、第２、第３の貯蔵室ユニット２０，２１，２２の背面からは、第１から第３のブライン熱交換器２８，３２，３６にブラインを戻すブライン吸引パイプ２８ａ，３２ａ，３６ａの入口端とブライン循環用天井パイプ６５ａ，６５ｂ，６５ｃの出口端が突出しており、ブライン吸引パイプ２８ａ，３２ａ，３６ａの入口端とブライン循環用天井パイプ６５ａ，６５ｂ，６５ｃの出口端には、ワンタッチ接続の雌の接続口４９ａを設置している。
【００７５】
第４の貯蔵室ユニット２３の背面下部には機械室３８が区画されている。機械室３８内には、圧縮機３９、凝縮器４０、膨張機構としてのキャピラリチューブ４１が設置されている。第４の貯蔵室２３ａ内の奥面には、冷却室４２が、風路と一体になって区画形成され、冷却室４２の入口側には蒸発器４３、出口側にはファン４４が設置されている。
【００７６】
また、第４の貯蔵室ユニット２３は、断熱箱２３ｂにおける扉２３ｃと対向する貯蔵室２３ａの開口部の外周部分の外箱５０に内面側から熱交換可能に当接する冷媒循環用外周パイプ６４ｄと、貯蔵室２３ｂの天面部分と一部側面部分の外箱５０に内面側から熱交換可能に当接する冷媒循環用天井パイプ６５ｄとを、断熱材５５内に埋設している。
【００７７】
そして、圧縮機３９、凝縮器４０、冷媒循環用外周パイプ６４ｄ、冷媒循環用天井パイプ６５ｄ、キャピラリチューブ４１、蒸発器４３は、順次環状に連接され、第４の貯蔵室２３ａ内を冷却する冷却手段としての冷凍サイクル（蒸気圧縮式の冷凍システム）を形成する。
【００７８】
放熱ユニット２４には、ブライン冷却器としての放熱器４５、ブライン循環用ポンプ４６ａ，４６ｂ，４６ｃが設置されている。また、放熱ユニット２４からは、ブライン循環用ポンプ４６ａ，４６ｂ，４６ｃの吸入口につながるパイプの入口端と放熱器４５で放熱し冷却されたブラインが流れ出るブライン吐き出しパイプ４５ａ，４５ｂ，４５ｃの出口端が突出しており、ブライン循環用ポンプ４６ａ，４６ｂ，４６ｃの吸入口につながるパイプの入口端とブライン吐き出しパイプ４５ａ，４５ｂ，４５ｃの出口端には、ワンタッチ接続の雌の接続口４９ａを設置している。
【００７９】
４７は接続パイプであり、ブライン吐き出し接続パイプ４７ａ，４７ｂ，４７ｃと、ブライン吸引接続パイプ４７ｄ，４７ｅ，４７ｆで構成される。
【００８０】
また、雌の接続口４９ａを備えたブライン吸引パイプ２８ａ，３２ａ，３６ａの入口端と、雌の接続口４９ａを備えたブライン吐き出しパイプ４５ａ，４５ｂ，４５ｃの出口端とは、両端にワンタッチ接続の雄の接続口４９ｂを備えたブライン吐き出し接続パイプ４７ａ，４７ｂ，４７ｃを介して接続され、雌の接続口４９ａを備えたブライン循環用天井パイプ６５ａ，６５ｂ，６５ｃの出口端と、雌の接続口４９ａを備えたブライン循環用ポンプ４６ａ，４６ｂ，４６ｃの吸入口につながるパイプの入口端とは、両端にワンタッチ接続の雄の接続口４９ｂを備えたブライン吸引接続パイプ４７ｄ，４７ｅ，４７ｆを介して接続される。
【００８１】
なお、雌の接続口４９ａと雄の接続口４９ｂには、雌の接続口４９ａと雄の接続口４９ｂとを分離しても、内に封入されている放熱用のブラインの漏れがないように仕切り弁を内蔵している。
【００８２】
そして、第１から第３のブライン熱交換器２８，３２，３６と、ブライン循環用外周パイプ６４ａ，６４ｂ，６４ｃと、ブライン循環用天井パイプ６５ａ，６５ｂ，６５ｃと、ブライン吸引接続パイプ４７ｄ，４７ｅ，４７ｆと、ブライン循環用ポンプ４６ａ，４６ｂ，４６ｃと、ブラインと庫外の空気とを熱交換させる放熱器（ブライン冷却器）４５と、ブライン吐き出しパイプ４５ａ，４５ｂ，４５ｃと、ブライン吐き出し接続パイプ４７ａ，４７ｂ，４７ｃと、ブライン吸引パイプ２８ａ，３２ａ，３６ａとが順次環状に連接されてブライン循環サイクルを形成する。
【００８３】
第１から第４の貯蔵室ユニット２０，２１，２２，２３の断熱箱２０ｂ，２１ｂ，２２ｂ，２３ｂは、外箱５０と内箱５４との間に断熱材５５を有する構造であり、断熱箱２０ｂ，２１ｂ，２２ｂ，２３ｂの天面と底面の左右端部近傍に外箱５０に開口孔５１を有し、開口孔５１に対応した開口をもつ空洞部５２を形成した接続プレート収納ケース５３が、外箱５０と内箱５４との間の断熱材５５中に埋設されている。
【００８４】
なお、断熱箱２０ｂ，２１ｂ，２２ｂ，２３ｂの天面側の接続プレート収納ケース５３は、外箱５０における天面部分と左右側面部分とが繋がる角部の内側面に当接するように配置される。また、断熱箱２０ｂ，２１ｂ，２２ｂ，２３ｂの底面側の接続プレート収納ケース５３は、外箱５０における底面部分と左右側面部分とが繋がる角部を内側から補強する補強部材に当接するように配置される。
【００８５】
また、放熱ユニット２４の底面の左右端部近傍に開口孔５１を有し、開口孔５１に対応した開口をもつ空洞部５２を形成した接続プレート収納ケース５３が設置されている。
【００８６】
そして、放熱ユニット２４の底面と第１から第４の貯蔵室ユニット２０，２１，２２，２３の断熱箱２０ｂ，２１ｂ，２２ｂ，２３ｂの天面と底面に設けられた接続プレート収納ケース５３の空洞部５２（凹部）内には接続プレート５６が挿入され、接続プレート収納ケース５３の空洞部５２（凹部）内に挿入された接続プレート５６は、締結部品５７により空洞部５２（凹部）内に固定され、締結部品５７における各ユニット２０〜２４の左右側面に露出する部分はカバー部材で覆われる。また、各ユニット２０〜２４の背面には、上下に隣接する２つのユニットに跨るように複数箇所に接続ピース７６が配置され、接続ピース７６は取付部品７８により各ユニット２０〜２４の背面に固定される。
【００８７】
また、第１から第４の貯蔵室ユニット２０，２１，２２，２３を構成する断熱箱２０ｂ，２１ｂ，２２ｂ，２３ｂの天面は、連続した一つの平面６３で構成し、断熱箱２０ｂ，２１ｂ，２２ｂ，２３ｂの底面は、底面の外周部を構成する平面６１と、底面の外周部を構成する平面６１よりも断熱箱２０ｂ，２１ｂ，２２ｂ，２３ｂの内部側に凹んだ面６２とで構成している。
【００８８】
第１から第４の貯蔵室ユニット２０，２１，２２，２３の断熱箱２０ｂ，２１ｂ，２２ｂ，２３ｂは、外箱５０と内箱５４との間に発泡断熱材５５を充填したものであり、発泡圧により断熱箱２０ｂ，２１ｂ，２２ｂ，２３ｂの外面の中央部分が外側に膨らみ易いが、断熱箱２０ｂ，２１ｂ，２２ｂ，２３ｂの底面の中央部分は底面の外周部を構成する平面６１よりも断熱箱２０ｂ，２１ｂ，２２ｂ，２３ｂの内部側に凹んだ面６２で構成されており、底面の外周部を構成する平面６１は発泡断熱材５５の発泡圧による変形がほとんどないので、第１から第４の貯蔵室ユニット２０，２１，２２，２３を順に上下方向に積み重ねるように組み合わせると、第２から第４の貯蔵室ユニット２１，２２，２３の連続した一つの平面６３で構成される天面の上に、第１から第３の貯蔵室ユニット２０，２１，２２の底面の外周部を構成する平面６１が実質上隙間なく安定して当接するようになっている。
【００８９】
なお、発泡圧により断熱箱２０ｂ，２１ｂ，２２ｂ，２３ｂの天面と底面の中央部分が外側に膨らむことを考慮して、第１から第４の貯蔵室ユニット２０，２１，２２，２３を上下方向に積み重ねた時に、断熱箱２０ｂ，２１ｂ，２２ｂ，２３ｂの外側に膨らんだ部分同士が当接しないように、外箱５０における底面の外周部を構成する平面６１と内部側に凹んだ面６２との境界線と、平面６１に対する凹んだ面６２の凹みの深さ寸法とを設定している。
【００９０】
また、冷凍温度帯の第４の貯蔵室２３ａを有する第４の貯蔵室ユニット２３は、断熱箱２３ｂの外箱５０の表面温度が冷蔵庫の周囲の空気温度（庫外温度）になりやすく、第４の貯蔵室ユニット２３の断熱箱２３ｂの天面と第３の貯蔵室ユニット２２の断熱箱２２ｂの底面との接触面積が大きい場合は、第３の貯蔵室ユニット２２の断熱箱２２ｂの外箱５０の表面温度が低下して、第４の貯蔵室ユニット２３の断熱箱２３ｂの天面と第３の貯蔵室ユニット２２の断熱箱２２ｂの底面との接触面に結露が生じるが、本実施の形態では、第３の貯蔵室ユニット２２の断熱箱２２ｂの底面の外周部を構成する平面６１の部分でのみ第４の貯蔵室ユニット２３の断熱箱２３ｂの天面と接触し、第３の貯蔵室ユニット２２の断熱箱２２ｂの底面の凹んだ面６２と第４の貯蔵室ユニット２３の断熱箱２３ｂの天面との間には空間ができるため、第３の貯蔵室ユニット２２の断熱箱２２ｂの底面部分の外箱５０は、第４の貯蔵室ユニット２３の断熱箱２３ｂの天面部分の外箱５０の温度の影響を受けにくく、第４の貯蔵室ユニット２３の断熱箱２３ｂの天面と第３の貯蔵室ユニット２２の断熱箱２２ｂの底面との接触面の結露を防止できる。
【００９１】
また、第３の貯蔵室ユニット２２の断熱箱２２ｂの底面の凹んだ面６２と第４の貯蔵室ユニット２３の断熱箱２３ｂの天面との間には空間に、断熱性の板を挿入すれば、結露の発生の防止効果が高まる。
【００９２】
図７、図８において、６６は、前端部近傍にヒンジピン６６ａを上方向に突出させて設けた水平面と、その水平面の後端部から上方向と左方向に延びる複数の孔を有する鉛直面とからなるＬ字型形状の下側ヒンジである。６７は、前端部近傍にヒンジピン６７ａを下方向に突出させて設けた水平面と、その水平面の後端部から下方向と左方向に延びる複数の孔を有する鉛直面とからなるＬ字型形状の上側ヒンジである。
【００９３】
第１、第２の貯蔵室ユニット２０，２１の断熱箱２０ｂ，２１ｂにおける扉２０ｃ，２１ｃと対向する貯蔵室２０ａ，２１ａの開口部には、外箱５０の一部を構成するフランジがあり、そのフランジの内、下側ヒンジ６６が取り付けられる下フランジ６８ａと、上側ヒンジ６７が取り付けられる上フランジ６８ｂの裏面には、それぞれ補強板６９ａ，６９ｂを配置している。そして、下側ヒンジ６６と上側ヒンジ６７は、螺子またはボルトにより、それぞれ、裏面を補強板６９ａ，６９ｂで補強した下フランジ６８ａ、上フランジ６８ｂに固着される。
【００９４】
また、上側ヒンジ６７と下側ヒンジ６６とによりヒンジピン６６ａ，６７ａを回動軸として左右方向に開閉自在に第１、第２の貯蔵室ユニット２０，２１の断熱箱２０ｂ，２１ｂに取り付けられる扉２０ｃ，２１ｃの高さ寸法は、扉２０ｃ，２１ｃが取り付けられる第１、第２の貯蔵室ユニット２０，２１の断熱箱２０ｂ，２１ｂの高さ寸法より小さく、扉２０ｃ，２１ｃを上下方向から挟持する上側ヒンジ６７と下側ヒンジ６６は、上側ヒンジ６７は断熱箱２０ｂ，２１ｂの天面より上方に突出しないように、下側ヒンジ６６は断熱箱２０ｂ，２１ｂの底面より下方に突出しないように、断熱箱２０ｂ，２１ｂにおける扉２０ｃ，２１ｃと対向する貯蔵室２０ａ，２１ａの開口部の外周部分の前面（下フランジ６８ａ、上フランジ６８ｂ）に取り付けられる。
【００９５】
また、第１、第２、第３の貯蔵室ユニット２０，２１，２２の各貯蔵室２０ａ，２１ａ，２２ａ内の空気と熱交換する第１、第２、第３の庫内側熱交換器２７，３１，３５の下方には、第１、第２、第３の庫内側熱交換器２７，３１，３５に着霜し除霜された除霜水を受ける排水受け７０ａ，７０ｂ，７０ｃが設けられ、排水受け７０ａ，７０ｂ，７０ｃの底部は第１、第２、第３の貯蔵室ユニット２０，２１，２２の断熱箱２０ｂ，２１ｂ，２２ｂの背面下部から突出する排水口に連通しており、この排水口から排水受け７０ａ，７０ｂ，７０ｃ内の除霜水を庫外に排水する。
【００９６】
また、最下段に位置する第４の貯蔵室ユニット２３の貯蔵室２３ａ内の空気と熱交換する蒸発器４３の下方には、蒸発器４３に着霜し除霜された除霜水を受ける排水受け７０ｄが設けられ、排水受け７０ｄの底部は機械室３８内に突出する排水口に連通しており、排水口の下方には、この排水口から排水された排水受け７０ｄ内の除霜水を受ける排水受け皿７３が配置されている。
【００９７】
また、第１の貯蔵室ユニット２０の断熱箱２０ｂの背面下部から突出する排水口には、排水パイプ７１ａの上端が圧入され、第２の貯蔵室ユニット２１の断熱箱２１ｂの背面下部から突出する排水口には、Ｔ字（またはＹ字）型接続パイプ７２の一端が圧入され、Ｔ字（またはＹ字）型接続パイプ７２の残りの２端のうち上向きの端には排水パイプ７１ａの下端が圧入され、Ｔ字（またはＹ字）型接続パイプ７２の残りの下向きの端には排水パイプ７１ｂの上端が圧入され、第３の貯蔵室ユニット２２の断熱箱２２ｂの背面下部から突出する排水口には、別のＴ字（またはＹ字）型接続パイプ７２の一端が圧入され、Ｔ字（またはＹ字）型接続パイプ７２の残りの２端のうち上向きの端には排水パイプ７１ｂの下端が圧入され、Ｔ字（またはＹ字）型接続パイプ７２の残りの下向きの端には排水パイプ７１ｃの上端が圧入される。
【００９８】
排水パイプ７１ｃは、上端部と下端部を残して中央部分が第４の貯蔵室ユニット２３の断熱箱２３ｂの背面部分の断熱材５５内に埋設され、排水パイプ７１ｃの下端は、排水受け皿７３の上方に位置している。
【００９９】
その結果、第１、第２、第３、第４の貯蔵室ユニット２０，２１，２２，２３の各貯蔵室２０ａ，２１ａ，２２ａ，２３ａ内の第１、第２、第３、第４の庫内側熱交換器２７，３１，３５，４３に着霜し除霜された除霜水は、まず、第２の貯蔵室ユニット２１の断熱箱２１ｂの排水口に圧入されたＴ字（またはＹ字）型接続パイプ７２において、第１の貯蔵室ユニット２０の排水受け７０ａから排水パイプ７１ａを通って流れてきた第１の貯蔵室ユニット２０の除霜水と第２の貯蔵室ユニット２１の排水受け７０ｂから流れてきた第２の貯蔵室ユニット２１の除霜水とが合流して排水パイプ７１ｂに流れていく。
【０１００】
次に、第３の貯蔵室ユニット２２の断熱箱２２ｂの排水口に圧入されたＴ字（またはＹ字）型接続パイプ７２において、排水パイプ７１ｂを通って流れてきた第１、第２の貯蔵室ユニット２０，２１の除霜水と第３の貯蔵室ユニット２２の排水受け７０ｃから流れてきた第３の貯蔵室ユニット２２の除霜水とが合流して排水パイプ７１ｃに流れていき、第４の貯蔵室ユニット２３の機械室３８内に配置された排水受け皿７３に排水される。残りの第４の貯蔵室ユニット２３の除霜水は排水受け７０ｄから排水受け皿７３に排水される。
【０１０１】
また、第１、第２、第３、第４の貯蔵室ユニット２０，２１，２２，２３は、各断熱箱２０ｂ，２１ｂ，２２ｂ，２３ｂの天面及び底面から突出した部分をなくし、特に第４の貯蔵室ユニット２３には、蒸気圧縮式による冷凍システムの凝縮器４０を、貯蔵室２３ａの下方となる断熱箱２３ｂの下面に配置するが、凝縮器４０を配置する部分は、貯蔵室２３ａの底面の外周部を構成する平面よりも断熱箱２３ｂの内部側に凹んだ凹部空間であり、凝縮器４０の周囲に放熱空間ができるように充分な深さの凹みが確保されている。
【０１０２】
第１、第２、第３、第４の貯蔵室ユニット２０，２１，２２，２３は、断熱箱２０ｂ，２１ｂ，２２ｂ，２３ｂの底面の四隅近傍に、車輪７４または脚７５を着脱可能に取り付けネジ等により固着するための複数の穴（図示せず）を備え、最下段の第４貯蔵室ユニット２３は、断熱箱２３ｂの底面の複数の穴に車輪７４と脚７５を取り付けネジ等により固着している。
【０１０３】
以上のように構成された本実施の形態のコンポーネント冷蔵庫について、以下その動作を説明する。
【０１０４】
図示しない電源の投入により、第１のペルチェ素子２６、第２のペルチェ素子３０、第３のペルチェ素子３４に電圧が印可される。これによりゼーベック効果により、各ペルチェ素子２６，３０，３４の両面には、温度差が発生し、極性を適切に選択することにより、第１の貯蔵室２０ａ、第２の貯蔵室２１ａ、第３の貯蔵室２２ａの内側に露出した面を冷却面として冷却運転を開始する。
【０１０５】
第１の貯蔵室２０ａ、第２の貯蔵室２１ａ、第３の貯蔵室２２ａの各内側では、第１の庫内側熱交換器２７、第２の庫内熱交換器３１、第３の熱交換器３５により、庫内の空気と熱交換し冷却を行う。
【０１０６】
このとき第１、第２、第３のペルチェ素子２６，３０，３４の外側に位置する放熱面は、第１、第２、第３のブライン熱交換器２８，３２，３６により、ブラインと熱交換し放熱を行う。
【０１０７】
電源投入と同時に、放熱ユニット２４に設けたブライン循環用ポンプ４６ａ，４６ｂ，４６ｃは、冷媒であるブラインを循環させる。第１から第３のブライン熱交換器２８，３２，３６において、第１、第２、第３のペルチェ素子２６，３０，３４の放熱面と熱交換し温度が上昇したブラインは、ブライン循環用外周パイプ６４ａ，６４ｂ，６４ｃにおいて、扉２０ｃ，２１ｃ，２２ｃと対向する貯蔵室２０ａ，２１ａ，２２ａの開口部の外周部分の外箱５０を加熱し、ブライン循環用天井パイプ６５ａ，６５ｂ，６５ｃにおいて、貯蔵室２０ａ，２１ａ，２２ａの天面部分の外箱５０を加熱し、ブライン吸引接続パイプ４７ｄ，４７ｅ，４７ｆと、ブライン循環用ポンプ４６ａ，４６ｂ，４６ｃを通って、放熱器（ブライン冷却器）４５において、庫外の空気により冷却され、ブライン吐き出しパイプ４５ａ，４５ｂ，４５ｃと、ブライン吐き出し接続パイプ４７ａ，４７ｂ，４７ｃと、ブライン吸引パイプ２８ａ，３２ａ，３６ａを通って、再び第１から第３のブライン熱交換器２８，３２，３６に戻る。
【０１０８】
第４の貯蔵室２３は、冷凍温度帯で、冷却負荷が最も大きいため、圧縮機３９の起動により冷凍サイクルを動作させ、蒸発器４３により冷却を行う。このときファン４４により、第４の貯蔵室２３ａ内の空気を蒸発器４３を通して循環させ冷却を行う。
【０１０９】
また、第１から第３の貯蔵室２０ａ，２１ａ，２２ａは、第１から第３のペルチェ素子２６，３０，３４の能力を増大させるため、一般に放熱面の温度が低く冷却面との温度差が小さくなるほど能力、効率が上昇するペルチェ素子の特性より、ブラインを用いて放熱させているが、第４の貯蔵室２３の次に負荷の大きい第１の貯蔵室２０ａは、第１のペルチェ素子２６の冷却面、放熱面の面積を、他の第２、第３の貯蔵室２１ａ，２２ａの第２、第３のペルチェ素子３０，３４より大きくして、能力を大きくしている。
【０１１０】
本実施の形態では、放熱用のブラインは、放熱器（ブライン冷却器）４５、ブライン循環用ポンプ４６ａ，４６ｂ，４６ｃにより、放熱ユニット２４より送り出され、並列に接続された第１のブライン熱交換器２８、第２のブライン熱交換器３２、第３の熱交換器３６へ分流して循環し、再度集合して、放熱器（ブライン冷却器）４５へと還る。
【０１１１】
その結果、第１のペルチェ素子２６、第２のペルチェ素子３０、第３のペルチェ素子３４の放熱面は、ブラインにより冷却される。このため、放熱面の温度を空気冷却の場合よりも低くでき、ペルチェ素子の能力や効率を向上することができるため、使用電力量を低減可能となる。
【０１１２】
また、放熱ユニット２４と、第１の貯蔵室ユニット２０、第２の貯蔵室ユニット２１、第３の貯蔵室ユニット２２との接続は、ブライン循環用の接続パイプ４７のみで良いため、接続パイプ４７を屈曲可能な柔らかい材質のものにすることで、性能の低下を起こさず自由な配置が可能となる。
【０１１３】
以上のように本実施の形態のコンポーネント冷蔵庫は、第１の貯蔵室２０ａを形成する断熱箱２０ｂと、第１の貯蔵室２０ａを開閉するための扉２０ｃと、第１の貯蔵室２０ａ内を冷却する冷却手段（第１のペルチェ素子２６、第１の庫内熱交換器２７、第１のブライン熱交換器２８）とからなる第１の貯蔵室ユニット２０と、第２の貯蔵室２１ａを形成する断熱箱２１ｂと、第２の貯蔵室２１ａを開閉するための扉２１ｃと、第２の貯蔵室２１ａ内を冷却する冷却手段（第２のペルチェ素子３０、第２の庫内熱交換器３１、第２のブライン熱交換器３２）とからなる第２の貯蔵室ユニット２１と、第３の貯蔵室２２ａを形成する断熱箱２２ｂと、第３の貯蔵室２２ａを開閉するための扉２２ｃと、第３の貯蔵室２２ａ内を冷却する冷却手段（第３のペルチェ素子３４、第３の庫内熱交換器３５、第３のブライン熱交換器３６）とからなる第３の貯蔵室ユニット２２と、第４の貯蔵室２３ａを形成する断熱箱２３ｂと、第４の貯蔵室２３ａを開閉するための扉２３ｃと、第４の貯蔵室２３ａ内を冷却する冷却手段（圧縮機３９、凝縮器４０、キャピラリチューブ４１、蒸発器４３を順次環状に連接してなる冷凍サイクル（蒸気圧縮式の冷凍システム）とからなる第４の貯蔵室ユニット２３と、放熱ユニット２４とからなり、各貯蔵室ユニット２０，２１，２２，２３と放熱ユニット２４は、それぞれ、各貯蔵室ユニット２０，２１，２２，２３を自由に配置、組み合わせできるような形状、大きさを有しており、各貯蔵室ユニット２０，２１，２２，２３を組み合わせた時に、互いに異なる温度帯に設定でき、冷気が互いに循環しないように独立した複数の貯蔵室２０ａ，２１ａ，２２ａ，２３ａを有する冷蔵庫として機能するようにしたものであり、各貯蔵室ユニット２０，２１，２２，２３の貯蔵室２０ａ，２１ａ，２２ａ，２３ａを貯蔵室ユニット２０，２１，２２，２３毎に設けた専用の冷却手段で冷却させ、他のユニット２０，２１，２２，２３，２４への冷気の流出、および、他のユニット２０，２１，２２，２３，２４からの冷気の流入を不要にしたので、各貯蔵室ユニット２０，２１，２２，２３を自由に配置、組み合わせ、容積の変更、増減することができ、各貯蔵室ユニット２０，２１，２２，２３の連結部分から冷気が漏れるおそれがなく、各貯蔵室２０ａ，２１ａ，２２ａ，２３ａ内を精度よく温度調節できるコンポーネント冷蔵庫を提供できるという効果がある。
【０１１４】
また、使用する（被冷却物を収納した）貯蔵室ユニット２０，２１，２２，２３のみ電源を入れて、その貯蔵室２０ａ，２１ａ，２２ａ，２３ａを冷却し、使用しない（被冷却物を収納していない）貯蔵室ユニットについては、その貯蔵室を冷却するための電源を入れないようにすることにより、消費電力を低減できる。
【０１１５】
また、本実施の形態のコンポーネント冷蔵庫は、貯蔵室２０ａ，２１ａ，２２ａが冷蔵温度帯になる第１から第３の貯蔵室ユニット２０，２１，２２の冷却手段に第１から第３のペルチェ素子２６，３０，３４を用い、貯蔵室２３ａが冷凍温度帯になる第４の貯蔵室ユニット２３の冷却手段に蒸気圧縮式の冷凍システム（圧縮機３９、凝縮器４０、キャピラリチューブ４１、蒸発器４３を順次環状に連接してなる冷凍サイクル）を用いたものであり、高い冷凍能力が必要な冷凍温度帯の第４の貯蔵室２３ａは、蒸気圧縮式の冷凍システム（冷凍サイクル）にて、内部食品を冷凍することができ、また、冷蔵温度帯以上の第１から第３の貯蔵室については第１から第３のペルチェ素子２６，３０，３４により、冷却手段を小型化、軽量化、低騒音化でき、それにより、第１から第３の貯蔵室ユニット２０，２１，２２の軽量化、第１から第３の貯蔵室２０ａ，２１ａ，２２ａの容積アップが可能となり、印加電圧のみで第１から第３の貯蔵室２０ａ，２１ａ，２２ａ内を精度よく温度調節できる。
【０１１６】
また、本実施の形態のコンポーネント冷蔵庫は、冷蔵温度帯の第１から第３の貯蔵室ユニット２０，２１，２２の冷却手段に、放熱面がブラインにより冷却されるように構成された第１から第３のペルチェ素子２６，３０，３４を用いたものであり、第１、第２、第３の貯蔵室ユニット２０，２１，２２において、第１、第２、第３のペルチェ素子２６，３０，３４の放熱面を直接空冷する場合に較べて、第１、第２、第３のペルチェ素子２６，３０，３４の放熱面の温度を下げることができ、第１、第２、第３のペルチェ素子２６，３０，３４の放熱面の温度が下がると、第１、第２、第３の貯蔵室２０ａ，２１ａ，２２ａ側に位置する第１、第２、第３のペルチェ素子２６，３０，３４の冷却面の温度が下がり（それにより、第１、第２、第３の庫内熱交換器２７，３１，３５の温度も下がり）、第１、第２、第３のペルチェ素子２６，３０，３４の冷凍能力及び効率が向上するため、消費電力を減少することができ、省エネルギーの点で多大な効果を有する。
【０１１７】
また、相対的に負荷の大きい冷蔵温度帯の第１の貯蔵室２０ａであっても、消費電力が増大することなく、無理なく所定温度に冷却することができ、また、放熱器（ブライン冷却器）４５を共用することにより、構成が簡単になってコストダウンが図れ、小型軽量化もしくは第１、第２、第３の貯蔵室２０ａ，２１ａ，２２ａの容積アップが可能となる。
【０１１８】
また、本実施の形態のコンポーネント冷蔵庫は、第１から第４の貯蔵室ユニット２０，２１，２２，２３を組み合わせることにより、自由な温度帯の第１から第４の貯蔵室２０ａ，２１ａ，２２ａ，２３ａの組み合わせを提供するので、これら第１から第４の貯蔵室２０ａ，２１ａ，２２ａ，２３ａを自由に組み合わせ、自由な形態で提供できるので、顧客の要望に合わせ、必要に応じて貯蔵室２０ａ，２１ａ，２２ａ，２３ａの追加や組み替えが可能となり、顧客満足の点や省資源、廃棄物の削減等で多大な効果を有する。また、第１から第４の貯蔵室２０ａ，２１ａ，２２ａ，２３ａの温度帯や負荷量に対して最適な冷却量を与えることができ、食品等の鮮度保持等に多大な効果を有する。
【０１１９】
なお、本実施の形態では、第１から第３の貯蔵室ユニット２０，２１，２２の冷却に必要な放熱器（ブライン冷却器）４５とブライン循環用ポンプ４６ａ，４６ｂ，４６ｃとを、第１から第３の貯蔵室ユニット２０，２１，２２とは別体の放熱ユニット２４に収納しているが、放熱器（ブライン冷却器）４５とブライン循環用ポンプ４６ａ，４６ｂ，４６ｃとを、第１から第３の貯蔵室ユニット２０，２１，２２とは別のユニットに収納する必要がなければ、第１から第３の貯蔵室ユニット２０，２１，２２に放熱器（ブライン冷却器）４５とブライン循環用ポンプ４６ａ，４６ｂ，４６ｃとを設けても構わない。
【０１２０】
なお、本実施の形態のコンポーネント冷蔵庫は、第２、第３の貯蔵室ユニット２１，２２の第２、第３のペルチェ素子３０，３４の放熱面に第２、第３のブライン熱交換器３２，３６を設けて、第２、第３のペルチェ素子３０，３４の放熱面をブライン循環経路を循環するブラインにより冷却しているが、第２、第３の貯蔵室ユニット２１，２２の貯蔵室２１ａ，２２ａの負荷が小さければ、第２、第３のペルチェ素子３０，３４の放熱面に庫外熱交換器を設けても良く、その場合は、第２、第３の貯蔵室ユニット２１，２２にブライン循環用の接続パイプ４７を接続する必要がなくなるので、第２、第３の貯蔵室ユニット２１，２２の配置がさらに自由になる。
【０１２１】
なお、本実施の形態では、第１から第４の４つの貯蔵室ユニット２０，２１，２２，２３を組み合わせてコンポーネント冷蔵庫を構成しているが、マイナス１８℃以下に冷凍すべき物がなければ、第４の貯蔵室ユニット２３を外して、第１から第３の３つの貯蔵室ユニット２０，２１，２２を組み合わせてコンポーネント冷蔵庫を構成しても構わない。
【０１２２】
また、本実施の形態では、第１から第４の４つの貯蔵室ユニット２０，２１，２２，２３を組み合わせて４つの温度帯を有するコンポーネント冷蔵庫を構成しているが、３つの温度帯で充分であり、略同一の温度帯の貯蔵室を複数必要としない場合は、例えば、略同一構成の第２、第３の貯蔵室ユニット２１，２２のどちらか一方を外してコンポーネント冷蔵庫を構成しても構わない。また、必要に応じて、貯蔵室ユニットを追加したり、容積の異なる貯蔵室を有する貯蔵室ユニットに交換することも可能である。
【０１２３】
また、本実施の形態のコンポーネント冷蔵庫は、第１から第４の貯蔵室ユニット２０，２１，２２，２３と放熱ユニット２４の上下方向に隣接する２つのユニットを接続する接続手段（外箱５０、プレート収納ケース５３、接続プレート５６、締結部品５７、接続ピース７６、取付部品７８）を備えたので、各貯蔵室ユニット２０，２１，２２，２３を配置、組み合わせた後、隣接する２つの貯蔵室ユニット２０，２１，２２，２３を接続する接続手段（外箱５０、プレート収納ケース５３、接続プレート５６、締結部品５７、接続ピース７６、取付部品７８）を使って、接続部分を固定し、組み合わせた状態を維持できるという効果がある。
【０１２４】
また、本実施の形態のコンポーネント冷蔵庫は、左右側面の接続手段が、第１から第４の貯蔵室ユニット２０，２１，２２，２３と放熱ユニット２４の上下方向に隣接する２つのユニット上下方向に隣接する２つのユニット２０，２１，２２，２３，２４のうち下側の貯蔵室ユニット２０，２１，２２，２３の断熱箱２０ｂ，２１ｂ，２２ｂ，２３ｂの天面に形成された凹部（外箱５０の開口孔５１と接続プレート収納ケース５３の空洞部５２とで構成）に収納される部分と上側の貯蔵室ユニット２０，２１，２２，２３の断熱箱２０ｂ，２１ｂ，２２ｂ，２３ｂの底面に形成された凹部（外箱５０の開口孔５１と接続プレート収納ケース５３の空洞部５２とで構成）または放熱ユニット２４の底面に形成された凹部（開口孔５１と接続プレート収納ケース５３の空洞部５２とで構成）に収納される部分とからなる接続プレート５６と、断熱箱２０ｂ，２１ｂ，２２ｂ，２３ｂの天面または底面の凹部または放熱ユニット２４の凹部に収納された接続プレート５６を断熱箱２０ｂ，２１ｂ，２２ｂ，２３ｂまたは放熱ユニット２４に固定する締結部品５７とを有するものである。
【０１２５】
本実施の形態のコンポーネント冷蔵庫では、第１から第４の貯蔵室ユニット２０，２１，２２，２３と放熱ユニット２４の上下方向に隣接する２つのユニット２０，２１，２２，２３，２４を接続する接続手段のうち、両方のユニット２０，２１，２２，２３，２４に跨るように設けられる接続プレート５６が、下側の貯蔵室ユニット２０，２１，２２，２３の断熱箱２０ｂ，２１ｂ，２２ｂ，２３ｂの天面の凹部（外箱５０の開口孔５１と接続プレート収納ケース５３の空洞部５２とで構成）と上側の貯蔵室ユニット２０，２１，２２，２３の断熱箱２０ｂ，２１ｂ，２２ｂ，２３ｂの底面の凹部（外箱５０の開口孔５１と接続プレート収納ケース５３の空洞部５２とで構成）と放熱ユニット２４の底面に形成された凹部（開口孔５１と接続プレート収納ケース５３の空洞部５２とで構成）に収納されて、冷蔵庫の周囲からは接続プレート５６が見えず、接続プレート５６が貯蔵室ユニット２０，２１，２２，２３の断熱箱２０ｂ，２１ｂ，２２ｂ，２３ｂと放熱ユニット２４の側面から出っ張らないため、接続部分の美観に優れ、且つ第１から第４の貯蔵室ユニット２０，２１，２２，２３と放熱ユニット２４の上下方向に隣接する２つのユニット２０，２１，２２，２３，２４を接続するという機能も果たすことができるという効果がある。
【０１２６】
また、接続プレート５６が第１から第４の貯蔵室ユニット２０，２１，２２，２３の断熱箱２０ｂ，２１ｂ，２２ｂ，２３ｂの側面から出っ張らず、断熱箱２０ｂ，２１ｂ，２２ｂ，２３ｂの底面の凹部（外箱５０の開口孔５１と接続プレート収納ケース５３の空洞部５２とで構成）に接続プレート５６を収納しない最下段の貯蔵室ユニット２０，２１，２２，２３については、断熱箱２０ｂ，２１ｂ，２２ｂ，２３ｂの底面の凹部は通常は見えないため底面の凹部が目立たず、断熱箱２０ｂ，２１ｂ，２２ｂ，２３ｂの天面の凹部に接続プレート５６を収納しない最上段の貯蔵室ユニット２０，２１，２２，２３については、天面の凹部（外箱５０の開口孔５１と接続プレート収納ケース５３の空洞部５２とで構成）が目立ちにくいように、凹部の大きさ、形状、位置を設定することができ、また、天面の凹部に嵌合する別部品で天面の凹部を塞ぐことも可能であるため、断熱箱２０ｂ，２１ｂ，２２ｂ，２３ｂの天面の凹部を目立たなくでき、各貯蔵室ユニット２０，２１，２２，２３の接続による制限を意識することなく各貯蔵室ユニット２０，２１，２２，２３を自由に配置、組み合わせできるという効果がある。
【０１２７】
また、配置、組み合わせを変更する場合についても、締結部品５７を操作して接続プレート５６の断熱箱２０ｂ，２１ｂ，２２ｂ，２３ｂへの密着固定状態を解き、断熱箱２０ｂ，２１ｂ，２２ｂ，２３ｂの底面の凹部（外箱５０の開口孔５１と接続プレート収納ケース５３の空洞部５２とで構成）から接続プレート５６が抜け出るまで上側の貯蔵室ユニット２０，２１，２２，２３を持ち上げた後、下側の貯蔵室ユニット２０，２１，２２，２３の断熱箱２０ｂ，２１ｂ，２２ｂ，２３ｂの天面の凹部（外箱５０の開口孔５１と接続プレート収納ケース５３の空洞部５２とで構成）から接続プレート５６を抜き取ることにより、接続前の状態に戻せるため、各貯蔵室ユニット２０，２１，２２，２３の配置、組み合わせ、及び配置、組み合わせの変更が容易に行えるという効果がある。
【０１２８】
また、本実施の形態のコンポーネント冷蔵庫では、凹部（外箱５０の開口孔５１と接続プレート収納ケース５３の空洞部５２とで構成）は、断熱箱２０ｂ，２１ｂ，２２ｂ，２３ｂの天面と底面の左右端部近傍にそれぞれ形成され、締結部品５７は、断熱箱２０ｂ，２１ｂ，２２ｂ，２３ｂの左右側面に露出する部分を操作することにより、接続プレート５６を凹部における断熱箱２０ｂ，２１ｂ，２２ｂ，２３ｂの左右側面に対して平行な面に密着させることができるように構成されているものである。
【０１２９】
上記構成において、例えば、２つの貯蔵室ユニット２０，２１，２２，２３を積み重ねて接続する場合の手順は、以下のようになる。
【０１３０】
まず、下側になる貯蔵室ユニット２０，２１，２２，２３の断熱箱２０ｂ，２１ｂ，２２ｂ，２３ｂの天面の左右端部近傍にそれぞれ形成された凹部（外箱５０の開口孔５１と接続プレート収納ケース５３の空洞部５２とで構成）にそれぞれ接続プレート５６を挿入し、次に、上側になる貯蔵室ユニット２０，２１，２２，２３の断熱箱２０ｂ，２１ｂ，２２ｂ，２３ｂの底面の左右端部近傍にそれぞれ形成された各凹部（外箱５０の開口孔５１と接続プレート収納ケース５３の空洞部５２とで構成）に、下側になる貯蔵室ユニット２０，２１，２２，２３の断熱箱２０ｂ，２１ｂ，２２ｂ，２３ｂの天面から突出している各接続プレート５６が入るように、上側になる貯蔵室ユニット２０，２１，２２，２３を位置合わせして、上側になる貯蔵室ユニット２０，２１，２２，２３を下側になる貯蔵室ユニット２０，２１，２２，２３の上に載せ、上下の貯蔵室ユニット２０，２１，２２，２３の前後左右の位置ずれがなくなるように上側の貯蔵室ユニット２０，２１，２２，２３の位置を調節し、最後に、下側の貯蔵室ユニット２０，２１，２２，２３用の締結部品５７における断熱箱２０ｂ，２１ｂ，２２ｂ，２３ｂの左右側面に露出する部分を操作して、各接続プレート５６の下部を下側の貯蔵室ユニット２０，２１，２２，２３の断熱箱２０ｂ，２１ｂ，２２ｂ，２３ｂの天面の凹部（外箱５０の開口孔５１と接続プレート収納ケース５３の空洞部５２とで構成）における断熱箱２０ｂ，２１ｂ，２２ｂ，２３ｂの左右側面に対して平行な面に密着させると共に、上側の貯蔵室ユニット２０，２１，２２，２３用の締結部品５７における断熱箱２０ｂ，２１ｂ，２２ｂ，２３ｂの左右側面に露出する部分を操作して、各接続プレート５６の上部を上側の貯蔵室ユニット２０，２１，２２，２３の断熱箱２０ｂ，２１ｂ，２２ｂ，２３ｂの底面の凹部（外箱５０の開口孔５１と接続プレート収納ケース５３の空洞部５２とで構成）における断熱箱２０ｂ，２１ｂ，２２ｂ，２３ｂの左右側面に対して平行な面に密着させる。
【０１３１】
本実施の形態のコンポーネント冷蔵庫では、上下に積み重ねる貯蔵室ユニットの２０，２１，２２，２３断熱箱２０ｂ，２１ｂ，２２ｂ，２３ｂの向かい合う面の凹部（外箱５０の開口孔５１と接続プレート収納ケース５３の空洞部５２とで構成）に接続プレート５６を入れて、複数の貯蔵室ユニット２０，２１，２２，２３を積み重ねて、上下の貯蔵室ユニット２０，２１，２２，２３の前後左右の位置ずれを修正した後、締結部品５７における断熱箱２０ｂ，２１ｂ，２２ｂ，２３ｂの左右側面に露出する部分を操作して接続プレート５６を上下の貯蔵室ユニット２０，２１，２２，２３の断熱箱２０ｂ，２１ｂ，２２ｂ，２３ｂに固定するという作業で、簡単に上下の貯蔵室ユニット２０，２１，２２，２３の前後左右の位置ずれを修正した状態で上下に積み重ねる貯蔵室ユニット２０，２１，２２，２３を接続でき、また、一旦接続した貯蔵室ユニット２０，２１，２２，２３の配置、組み合わせを変更する場合についても、締結部品５７における断熱箱２０ｂ，２１ｂ，２２ｂ，２３ｂの左右側面に露出する部分を操作して、簡単に接続プレート５６の断熱箱２０ｂ，２１ｂ，２２ｂ，２３ｂへの密着固定状態を解いて上下の貯蔵室ユニット２０，２１，２２，２３の接続を解除することができるという効果がある。
【０１３２】
また、本実施の形態のコンポーネント冷蔵庫では、締結部品５７は、螺旋状の溝をきざんだ円柱部と頭部とからなる螺子で構成され、円柱部が断熱箱２０ｂ，２１ｂ，２２ｂ，２３ｂの左右側面と凹部（外箱５０の開口孔５１と接続プレート収納ケース５３の空洞部５２とで構成）との間の壁（天面の凹部の壁は外箱５０と接続プレート収納ケース５３とで構成され、底面の凹部の壁は外箱５０と補強部材と接続プレート収納ケース５３とで構成される）に形成された円柱部の外径より大きく頭部の外径より小さい孔と接続プレート５６に形成された円柱部と嵌合する孔とに断熱箱２０ｂ，２１ｂ，２２ｂ，２３ｂの左右側面側から挿入され、断熱箱２０ｂ，２１ｂ，２２ｂ，２３ｂの左右側面に露出する頭部を所定方向に回転させる（頭部の反円柱部側の面に形成された十字溝にプラスドライバー工具の先端を合致させてプラスドライバー工具により回転させる）ことにより、接続プレート５６を断熱箱２０ｂ，２１ｂ，２２ｂ，２３ｂの左右側面と凹部との間の壁（天面の凹部の壁は外箱５０と接続プレート収納ケース５３とで構成され、底面の凹部の壁は外箱５０と補強部材と接続プレート収納ケース５３とで構成される）に密着させるものである。
【０１３３】
上記構成において、例えば、２つの貯蔵室ユニット２０，２１，２２，２３を積み重ねて接続する場合の手順は、以下のようになる。
【０１３４】
まず、下側になる貯蔵室ユニット２０，２１，２２，２３の断熱箱２０ｂ，２１ｂ，２２ｂ，２３ｂの天面の左右端部近傍にそれぞれ形成された凹部（外箱５０の開口孔５１と接続プレート収納ケース５３の空洞部５２とで構成）にそれぞれ接続プレート５６を挿入し、螺子（締結部品５７）の円柱部を断熱箱２０ｂ，２１ｂ，２２ｂ，２３ｂの左右側面と凹部（外箱５０の開口孔５１と接続プレート収納ケース５３の空洞部５２とで構成）との間の壁（天面の凹部の壁は外箱５０と接続プレート収納ケース５３とで構成され、底面の凹部の壁は外箱５０と補強部材と接続プレート収納ケース５３とで構成される）に形成された孔と接続プレート５６に形成された孔とに断熱箱２０ｂ，２１ｂ，２２ｂ，２３ｂの左右側面側から挿入し、接続プレート５６が螺子（締結部品５７）の円柱部から外れず接続プレート５６が断熱箱２０ｂ，２１ｂ，２２ｂ，２３ｂの左右側面と凹部（外箱５０の開口孔５１と接続プレート収納ケース５３の空洞部５２とで構成）との間の壁に密着しない程度に、螺子（締結部品５７）の頭部を所定方向に回転させて接続プレート５６の孔と螺子（締結部品５７）の円柱部とを嵌合させる。
【０１３５】
次に、上側になる貯蔵室ユニット２０，２１，２２，２３の断熱箱２０ｂ，２１ｂ，２２ｂ，２３ｂの底面の左右端部近傍にそれぞれ形成された各凹部（外箱５０の開口孔５１と接続プレート収納ケース５３の空洞部５２とで構成）に、下側になる貯蔵室ユニット２０，２１，２２，２３の断熱箱２０ｂ，２１ｂ，２２ｂ，２３ｂの天面から突出している各接続プレート５６が入るように、上側になる貯蔵室ユニット２０，２１，２２，２３を位置合わせして、上側になる貯蔵室ユニット２０，２１，２２，２３を下側になる貯蔵室ユニット２０，２１，２２，２３の上に載せ、上側になる貯蔵室ユニット２０，２１，２２，２３に対し、螺子（締結部品５７）の円柱部を断熱箱２０ｂ，２１ｂ，２２ｂ，２３ｂの左右側面と凹部（外箱５０の開口孔５１と接続プレート収納ケース５３の空洞部５２とで構成）との間の壁に形成された孔と接続プレート５６に形成された孔とに断熱箱２０ｂ，２１ｂ，２２ｂ，２３ｂの左右側面側から挿入し、接続プレート５６が螺子（締結部品５７）の円柱部から外れず接続プレート５６が断熱箱２０ｂ，２１ｂ，２２ｂ，２３ｂの左右側面と凹部（外箱５０の開口孔５１と接続プレート収納ケース５３の空洞部５２とで構成）との間の壁に密着しない程度に、螺子（締結部品５７）の頭部を所定方向に回転させて接続プレート５６の孔と螺子（締結部品５７）の円柱部とを嵌合させる。
【０１３６】
次に、上下の貯蔵室ユニット２０，２１，２２，２３の前後左右の位置ずれがなくなるように上側の貯蔵室ユニット２０，２１，２２，２３の位置を調節し、最後に、下側の貯蔵室ユニット２０，２１，２２，２３用の螺子（締結部品５７）における断熱箱２０ｂ，２１ｂ，２２ｂ，２３ｂの左右側面に露出する頭部を所定方向に回転させて、各接続プレート５６の下部を下側の貯蔵室ユニット２０，２１，２２，２３の断熱箱２０ｂ，２１ｂ，２２ｂ，２３ｂの左右側面と凹部（外箱５０の開口孔５１と接続プレート収納ケース５３の空洞部５２とで構成）との間の壁に密着させると共に、上側の貯蔵室ユニット２０，２１，２２，２３用の螺子（締結部品５７）における断熱箱２０ｂ，２１ｂ，２２ｂ，２３ｂの左右側面に露出する頭部を所定方向に回転させて、各接続プレート５６の上部を上側の貯蔵室ユニット２０，２１，２２，２３の断熱箱２０ｂ，２１ｂ，２２ｂ，２３ｂの左右側面と凹部（外箱５０の開口孔５１と接続プレート収納ケース５３の空洞部５２とで構成）との間の壁に密着させる。
【０１３７】
本実施の形態のコンポーネント冷蔵庫では、締結部品５７として螺子を用い、断熱箱の左右側面に露出する螺子（締結部品５７）の頭部を所定方向に回転させて、接続プレート５６を貯蔵室ユニット２０，２１，２２，２３の断熱箱２０ｂ，２１ｂ，２２ｂ，２３ｂの左右側面と凹部（外箱５０の開口孔５１と接続プレート収納ケース５３の空洞部５２とで構成）との間の壁に密着させるようにしたので、貯蔵室ユニット２０，２１，２２，２３の断熱箱２０ｂ，２１ｂ，２２ｂ，２３ｂへの接続プレート５６の密着固定を、接続プレート５６の孔と螺子（締結部品５７）の円柱部との位置合わせ後の螺子（締結部品５７）の頭部の所定方向への回転により、行うことができる。また、一旦接続した貯蔵室ユニット２０，２１，２２，２３の配置、組み合わせを変更する場合についても、螺子（締結部品５７）における断熱箱２０ｂ，２１ｂ，２２ｂ，２３ｂの左右側面に露出する頭部を所定方向とは逆方向に回転させて、簡単に接続プレート５６の断熱箱２０ｂ，２１ｂ，２２ｂ，２３ｂへの密着固定状態を解いて上下の貯蔵室ユニット２０，２１，２２，２３の接続を解除することができるという効果がある。
【０１３８】
また、断熱箱２０ｂ，２１ｂ，２２ｂ，２３ｂの左右側面に露出している螺子（締結部品５７）の頭部を、断熱箱２０ｂ，２１ｂ，２２ｂ，２３ｂと同色のカバー５８により覆い隠したので、さらに接続部分の美観が良くなるという効果がある。
【０１３９】
また、本実施の形態のコンポーネント冷蔵庫は、各貯蔵室ユニット２０，２１，２２，２３を構成する断熱箱２０ｂ，２１ｂ，２２ｂ，２３ｂの天面を、連続した一つの平面６３で構成し、断熱箱２０ｂ，２１ｂ，２２ｂ，２３ｂの底面を、底面の外周部を構成する平面６１と、底面の外周部を構成する平面６１よりも断熱箱の内部側に凹んだ面６２とで構成したものである。
【０１４０】
本実施の形態のコンポーネント冷蔵庫では、２つの貯蔵室ユニット２０，２１，２２，２３を上下に積み重ねた時に、下側の貯蔵室ユニット２０，２１，２２，２３の断熱箱２０ｂ，２１ｂ，２２ｂ，２３ｂの天面に接触するのは、上側の貯蔵室ユニット２０，２１，２２，２３の断熱箱２０ｂ，２１ｂ，２２ｂ，２３ｂの底面の外周部の平面６１だけであり、上側の貯蔵室ユニット２０，２１，２２，２３の断熱箱２０ｂ，２１ｂ，２２ｂ，２３ｂの底面における外周部の平面６１よりも内周側の面６２と、下側の貯蔵室ユニット２０，２１，２２，２３の断熱箱２０ｂ，２１ｂ，２２ｂ，２３ｂの天面との間には空間ができるため、上下に積み重ねた貯蔵室ユニット２０，２１，２２，２３の接触面の露付きを防止でき、また、貯蔵室ユニット２０，２１，２２，２３の断熱箱２０ｂ，２１ｂ，２２ｂ，２３ｂの底面を連続した一つの平面で構成した場合に較べて、発泡断熱材５５の発泡圧による断熱箱２０ｂ，２１ｂ，２２ｂ，２３ｂの外面の中央部分の膨らみの影響を受けにくく、上下に積み重ねた貯蔵室ユニット２０，２１，２２，２３の接触面の隙間を小さくでき、そのため、上下に積み重ねた貯蔵室ユニット２０，２１，２２，２３が安定し、美観に優れるという効果がある。
【０１４１】
また、本実施の形態のコンポーネント冷蔵庫は、断熱箱２０ｂ，２１ｂ，２２ｂ，２３ｂが外箱５０と内箱５４との間に発泡断熱材５５を有する構造で、冷却手段に放熱面がブライン循環経路を循環するブラインにより冷却されるペルチェ素子２６，３０，３４を用いた貯蔵室ユニット２０，２１，２２を備え、ブライン循環経路の一部を、断熱箱２０ｂ，２１ｂ，２２ｂにおける扉２０ｃ，２１ｃ，２２ｃと対向する貯蔵室２０ａ，２１ａ，２２ａの開口部の外周部分の外箱５０に内面側から熱交換可能に当接するブライン循環用外周パイプ６４ａ，６４ｂ，６４ｃと、断熱箱２０ｂ，２１ｂ，２２ｂの天面部分の外箱５０に内面側から熱交換可能に当接するブライン循環用天井パイプ６５ａ，６５ｂ，６５ｃとで構成したものである。
【０１４２】
また、冷却手段に蒸気圧縮式の冷凍システムを用いた第４の貯蔵室ユニット２３の冷媒循環経路の放熱側の一部を、断熱箱２３ｂにおける扉２３ｃと対向する貯蔵室２３ａの開口部の外周部分の外箱５０に内面側から熱交換可能に当接する冷媒循環用外周パイプ６４ｄと、断熱箱２３ｂの天面部分の外箱５０に内面側から熱交換可能に当接する冷媒循環用天井パイプ６５ｄとで構成したものである。
【０１４３】
上記構成において、第１から第３貯蔵室ユニット２０，２１，２２においては、断熱箱２０ｂ，２１ｂ，２２ｂにおける扉２０ｃ，２１ｃ，２２ｃと対向する貯蔵室２０ａ，２１ａ，２２ａの開口部の外周部分の外箱５０に内面側から熱交換可能に当接するブライン循環用外周パイプ６４ａ，６４ｂ，６４ｃの中と、断熱箱２０ｂ，２１ｂ，２２ｂの天面部分の外箱５０に内面側から熱交換可能に当接するブライン循環用天井パイプ６５ａ，６５ｂ，６５ｃの中とに、ブライン循環経路を循環しペルチェ素子２６，３０，３４の放熱面を冷却するブラインが流れる。
【０１４４】
また、第４貯蔵室ユニット２３においては、断熱箱２３ｂにおける扉２３ｃと対向する貯蔵室２３ａの開口部の外周部分の外箱５０に内面側から熱交換可能に当接する冷媒循環用外周パイプ６４ｄの中と、断熱箱２３ｂの天面部分の外箱５０に内面側から熱交換可能に当接する冷媒循環用天井パイプ６５ｄの中とに、冷媒循環経路の放熱側の冷媒が流れる。
【０１４５】
ところで、通常、ペルチェ素子２６，３０，３４の放熱面を冷却することにより温度が上昇したブラインを、ブライン循環経路の途中において冷蔵庫の周囲の空気との熱交換により冷却するため、ブライン循環経路を循環するブラインの温度は、一番低くても冷蔵庫の周囲の空気の温度より高くなるのが普通である。
【０１４６】
また、各貯蔵室ユニット２０，２１，２２，２３の断熱箱２０ｂ，２１ｂ，２２ｂ，２３ｂにおける扉２０ｃ，２１ｃ，２２ｃ，２３ｃと対向する貯蔵室２０ａ，２１ａ，２２ａ，２３ａの開口部の外周部分の外箱５０の表面と、上下に積み重ねた貯蔵室ユニット２０，２１，２２，２３同士の接触面には露が付きやすい。
【０１４７】
本実施の形態のコンポーネント冷蔵庫では、第１から第３貯蔵室ユニット２０，２１，２２の断熱箱２０ｂ，２１ｂ，２２ｂにおける扉２０ｃ，２１ｃ，２２ｃと対向する貯蔵室２０ａ，２１ａ，２２ａの開口部の外周部分の外箱５０に内面側から熱交換可能に当接するブライン循環用外周パイプ６４ａ，６４ｂ，６４ｃの中と、断熱箱２０ｂ，２１ｂ，２２ｂの天面部分の外箱５０に内面側から熱交換可能に当接するブライン循環用天井パイプ６５ａ，６５ｂ，６５ｃの中とに、冷蔵庫の周囲の空気の温度より高い温度のブラインが流れ、また、第４貯蔵室ユニット２３の断熱箱２３ｂにおける扉２３ｃと対向する貯蔵室２３ａの開口部の外周部分の外箱５０に内面側から熱交換可能に当接する冷媒循環用外周パイプ６４ｄの中と、断熱箱２３ｂの天面部分の外箱５０に内面側から熱交換可能に当接する冷媒循環用天井パイプ６５ｄの中とに、冷蔵庫の周囲の空気の温度より高い温度の冷媒が流れて、断熱箱２０ｂ，２１ｂ，２２ｂ，２３ｂにおける扉２０ｃ，２１ｃ，２２ｃ，２３ｃと対向する貯蔵室２０ａ，２１ａ，２２ａ，２３ａの開口部の外周部分と断熱箱２０ｂ，２１ｂ，２２ｂ，２３ｂの天面部分の外箱５０の表面温度は結露温度より高くなるため、比較的露が付きやすい部位である断熱箱２０ｂ，２１ｂ，２２ｂ，２３ｂにおける扉２０ｃ，２１ｃ，２２ｃ，２３ｃと対向する貯蔵室２０ａ，２１ａ，２２ａ，２３ａの開口部の外周部分と断熱箱２０ｂ，２１ｂ，２２ｂ，２３ｂの天面部分の外箱５０の表面に露が付く可能性を大幅に減少できるという効果がある。
【０１４８】
また、本実施の形態のコンポーネント冷蔵庫では、ブライン循環経路は、ペルチェ素子２６，３０，３４の放熱面とブラインとを熱交換させるブライン熱交換器２８，３２，３６と、ブラインと庫外の空気とを熱交換させるブライン冷却器としての放熱器４５と、ブラインを循環させるブライン循環用ポンプ４６ａ，４６ｂ，４６ｃと、ブライン循環用外周パイプ６４ａ，６４ｂ，６４ｃと、ブライン循環用天井パイプ６５ａ，６５ｂ，６５ｃとからなり、ブライン熱交換器２８，３２，３６から流出したブラインが、ブライン冷却器（放熱器４５）により冷却される前に、ブライン循環用外周パイプ６４ａ，６４ｂ，６４ｃとブライン循環用天井パイプ６５ａ，６５ｂ，６５ｃとを通過するようにブライン循環経路を構成したものである。
【０１４９】
本実施の形態のコンポーネント冷蔵庫では、ブライン熱交換器２８，３２，３６から流出したブラインが、ブライン冷却器（放熱器４５）により冷却される前に、ブライン循環用外周パイプ６４ａ，６４ｂ，６４ｃとブライン循環用天井パイプ６５ａ，６５ｂ，６５ｃとを通過するので、ブライン循環用外周パイプ６４ａ，６４ｂ，６４ｃとブライン循環用天井パイプ６５ａ，６５ｂ，６５ｃにはブライン循環経路の中でも比較的温度が高いブラインが流れることになり、断熱箱２０ｂ，２１ｂ，２２ｂにおける扉２０ｃ，２１ｃ，２２ｃと対向する貯蔵室２０ａ，２１ａ，２２ａの開口部の外周部分と断熱箱２０ｂ，２１ｂ，２２ｂの天面部分の外箱５０の表面温度は結露温度より余裕を持って高くなるため、比較的露が付きやすい部位である断熱箱２０ｂ，２１ｂ，２２ｂにおける扉２０ｃ，２１ｃ，２２ｃと対向する貯蔵室２０ａ，２１ａ，２２ａの開口部の外周部分と断熱箱２０ｂ，２１ｂ，２２ｂの天面部分の外箱５０の表面に露が付く可能性をさらに大幅に減少できるという効果がある。
【０１５０】
また、本実施の形態のコンポーネント冷蔵庫は、冷却手段としてペルチェ素子２６，３０，３４とペルチェ素子２６，３０，３４の放熱面をブラインにより冷却するブライン熱交換器２８，３２，３６とを備えた貯蔵室ユニット２０，２１，２２と、貯蔵室ユニット２０，２１，２２のブライン熱交換器２８，３２，３６から流出したブラインを庫外の空気により冷却するブライン冷却器（放熱器４５）を有する放熱ユニット２４と、貯蔵室ユニット２０，２１，２２と放熱ユニット２４との間に取り付け取り外し可能に設けられブライン熱交換器２８，３２，３６とブライン冷却器（放熱器４５）とを環状に連接する接続パイプ４７ａ〜４７ｆとからなるものである。
【０１５１】
本実施の形態のコンポーネント冷蔵庫では、貯蔵室２０ａ，２１ａ，２２ａ内を冷却するペルチェ素子２６，３０，３４の放熱面を冷却するブラインの循環経路の一つを構成するブライン冷却器（放熱器４５）を、貯蔵室ユニット２０，２１，２２とは別ユニットの放熱ユニット２４に設ける場合であっても、ブライン熱交換器２８，３２，３６とブライン冷却器（放熱器４５）とを環状に連接する接続パイプ４７ａ〜４７ｆを、放熱ユニット２４と貯蔵室ユニット２０，２１，２２との間に取り付け取り外し可能に設けることにより、各貯蔵室ユニット２０，２１，２２と放熱ユニット２４とを自由に配置、組み合わせ、及び配置、組み合わせの変更が容易に行えるという効果がある。
【０１５２】
また、本実施の形態のコンポーネント冷蔵庫は、上側ヒンジ６７と下側ヒンジ６６とにより左右方向に開閉自在に断熱箱２０ｂ，２１ｂに取り付けられる扉２０ｃ，２１ｃの高さ寸法は、扉２０ｃ，２１ｃが取り付けられる断熱箱２０ｂ，２１ｂの高さ寸法より小さく、扉２０ｃ，２１ｃを上下方向から挟持する上側ヒンジ６７と下側ヒンジ６６は、上側ヒンジ６７は断熱箱２０ｂ，２１ｂの天面より上方に突出しないように、下側ヒンジ６６は断熱箱２０ｂ，２１ｂの底面より下方に突出しないように、断熱箱２０ｂ，２１ｂにおける扉２０ｃ，２１ｃと対向する貯蔵室２０ａ，２１ａの開口部の外周部分の前面に取り付けられるものである。
【０１５３】
本実施の形態のコンポーネント冷蔵庫では、上側ヒンジ６７と下側ヒンジ６６とにより扉２０ｃ，２１ｃを左右方向に開閉自在に断熱箱２０ｂ，２１ｂに取り付けた貯蔵室ユニット２０，２１を使用する場合であっても、扉２０ｃ，２１ｃの高さ寸法を断熱箱２０ｂ，２１ｂの高さ寸法より小さくし、上側ヒンジ６７が断熱箱２０ｂ，２１ｂの天面より上方に突出しないように、下側ヒンジ６６が断熱箱２０ｂ，２１ｂの底面より下方に突出しないようにして、上側ヒンジ６７、下側ヒンジ６６を断熱箱２０ｂ，２１ｂにおける扉２０ｃ，２１ｃと対向する貯蔵室２０ａ，２１ａの開口部の外周部分の前面に取り付けることにより、各貯蔵室ユニット２０，２１，２２，２３を積み重ねることが可能になり、各貯蔵室ユニット２０，２１，２２，２３を自由に配置、組み合わせることができるという効果がある。
【０１５４】
また、本実施の形態のコンポーネント冷蔵庫では、複数の貯蔵室ユニット２０，２１，２２，２３は、除霜水または結露水を庫外に排水するための排水口を備えると共に上下方向に３段以上積み重ねられ、最下段の第４の貯蔵室ユニット２３には、排水された除霜水または結露水を受ける排水受け皿７３が設けられ、最上段と最下段を除いた中段の第２、第３の貯蔵室ユニット２１，２２の排水口には、略Ｔ字型接続パイプ７２の一端が接続され、最下段より上段の各貯蔵室ユニット２０，２１，２２の除霜水または結露水が、一つに集められて最下段の第４の貯蔵室ユニット２３に設けられた排水受け皿７３に排水されるように、最上段の第１の貯蔵室ユニット２０の排水口と略Ｔ字型接続パイプ７２の残りの二端にそれぞれ排水パイプ７１ａ，７１ｂ，７１ｃが接続されているものである。
【０１５５】
本実施の形態のコンポーネント冷蔵庫では、複数の貯蔵室ユニット２０，２１，２２，２３を上下方向に３段以上積み重ねる場合において、最上段と最下段を除いた中段の貯蔵室ユニット２１，２２の排水口に一端が接続される略Ｔ字型接続パイプ７２を介して連結される排水パイプ７１ａ，７１ｂ，７１ｃを使って、最下段より上段の各貯蔵室ユニット２０，２１，２２の除霜水または結露水を、一つに集めて最下段の第４の貯蔵室ユニット２３に設けた排水受け皿７３に排水することができ、複数の貯蔵室ユニット２０，２１，２２，２３を上下方向に３段以上積み重ねる場合に排水受け皿７３が一つで済むという効果がある。
【０１５６】
また、本実施の形態のコンポーネント冷蔵庫は、凝縮器４０を備えた第４の貯蔵室ユニット２３は、凝縮器４０が第４の貯蔵室ユニット２３の断熱箱２３ｂの天面から上方に突出しないように且つ断熱箱２３ｂの底面から下方に突出しないように凝縮器４０を配置しており、各貯蔵室ユニット２０，２１，２２，２３は、断熱箱２０ｂ，２１ｂ，２２ｂ，２３ｂの底面に、車輪７４または脚７５を着脱可能に取り付けるための複数の穴を備え、最下段の第４の貯蔵室ユニット２３は、断熱箱２３ｂの底面の複数の穴に車輪７４または脚７５を取り付けているものである。
【０１５７】
本実施の形態のコンポーネント冷蔵庫では、凝縮器４０を備えた第４の貯蔵室ユニット２３は、凝縮器４０が第４の貯蔵室ユニット２３の断熱箱２３ｂの天面から上方に突出しないように且つ断熱箱２３ｂの底面から下方に突出しないように凝縮器４０を配置しているため、凝縮器４０を備えた第４の貯蔵室ユニット２３を含む複数の貯蔵室ユニット２０，２１，２２，２３を上下方向に積み重ねる場合に、凝縮器４０が貯蔵室ユニット２０，２１，２２，２３の積み重ねの障害にならず、各貯蔵室ユニット２０，２１，２２，２３を自由に配置、組み合わせることができるという効果がある。
【０１５８】
また、各貯蔵室ユニット２０，２１，２２，２３は、断熱箱２０ｂ，２１ｂ，２２ｂ，２３ｂの底面に、車輪７４または脚７５を着脱可能に取り付けるための複数の穴を備え、最下段の第４の貯蔵室ユニット２３は、断熱箱２３ｂの底面の複数の穴に車輪７４または脚７５を取り付けているので、最下段の第４の貯蔵室ユニット２３とは別の貯蔵室ユニット２０，２１，２２を最下段にする場合には、最下段に位置していた第４の貯蔵室ユニット２３の断熱箱２３ｂの底面に取り付けていた車輪７４または脚７５を、新たに最下段となる貯蔵室ユニット２０，２１，２２の断熱箱２０ｂ，２１ｂ，２２ｂの底面に取り付けて、新たに最下段となった貯蔵室ユニット２０，２１，２２の上に、残りの貯蔵室ユニット２０，２１，２２を新しい配置で積み重ねることで対応でき、また、複数の貯蔵室ユニット２０，２１，２２，２３を上下方向だけでなく左右方向にも配置する場合は、新たに入手した車輪７４または脚７５を、新たに最下段となる貯蔵室ユニット２０，２１，２２の断熱箱２０ｂ，２１ｂ，２２ｂの底面に取り付けることで対応できるため、床面に置く貯蔵室ユニット２０，２１，２２，２３の断熱箱２０ｂ，２１ｂ，２２ｂ，２３ｂの底面に車輪７４または脚７５を設ける場合でも、各貯蔵室ユニット２０，２１，２２，２３を自由に配置、組み合わせることができるという効果がある。
【０１５９】
（実施の形態２）
次に、本発明の実施の形態２のコンポーネント冷蔵庫について図面を参照しながら説明するが、実施の形態１と同一構成については、同一符号を付して、その詳細な説明は省略する。
【０１６０】
図９は本発明の実施の形態２のコンポーネント冷蔵庫における上下に隣接する２つの貯蔵室ユニットを接続する接続手段の周辺部を示す要部縦断面図である。
【０１６１】
断熱箱２０ｂ，２１ｂ，２２ｂ，２３ｂの底面の左右端部近傍に外箱５０に開口孔５１を有し、開口孔５１に対応した開口をもつ空洞部５２を形成した底面用の接続プレート収納ケース５９が、外箱５０と内箱５４との間の断熱材５５中に埋設されている。
【０１６２】
また、断熱箱２０ｂ，２１ｂ，２２ｂ，２３ｂの天面の左右端部近傍に外箱５０に開口孔５１を有し、開口孔５１に対応した開口をもつ空洞部５２を形成した天面用の接続プレート収納ケース６０が、外箱５０と内箱５４との間の断熱材５５中に埋設されている。
【０１６３】
なお、断熱箱２０ｂ，２１ｂ，２２ｂ，２３ｂの底面側の底面用の接続プレート収納ケース５９は、外箱５０における底面部分と左右側面部分とが繋がる角部を内側から補強する補強部材に当接するように配置される。また、断熱箱２０ｂ，２１ｂ，２２ｂ，２３ｂの天面側の天面用の接続プレート収納ケース６０は、外箱５０における天面部分と左右側面部分とが繋がる角部の内側面に当接するように配置される。
【０１６４】
また、放熱ユニット２４の底面の左右端部近傍に開口孔５１を有し、開口孔５１に対応した開口をもつ空洞部５２を形成した底面用の接続プレート収納ケース５９が設置されている。
【０１６５】
なお、各ユニット２０，２１，２２，２３，２４において、貯蔵室ユニット２０，２１，２２，２３の断熱箱２０ｂ，２１ｂ，２２ｂ，２３ｂの底面の凹部（外箱５０の開口孔５１と底面用の接続プレート収納ケース５９の空洞部５２とで構成）と放熱ユニット２４底面の凹部（開口孔５１と底面用の接続プレート収納ケース５９の空洞部５２とで構成）と、凹部に収納される接続プレート５６との間にできる前後方向の隙間を、断熱箱２０ｂ，２１ｂ，２２ｂ，２３ｂの天面の凹部（外箱５０の開口孔５１と天面用の接続プレート収納ケース６０の空洞部５２とで構成）と断熱箱２０ｂ，２１ｂ，２２ｂ，２３ｂの天面の凹部に収納される接続プレート５６との間にできる前後方向の隙間よりも大きくしている。
【０１６６】
なお、接続プレート５６は角を丸く落とした長方形の平板状で、断熱箱２０ｂ，２１ｂ，２２ｂ，２３ｂの天面の凹部（開口孔５１と天面用の接続プレート収納ケース６０の空洞部５２）の寸法は、接続プレート５６の長手方向の約半分がぴったりと収まるように設定してあり、底面の凹部（開口孔５１と底面用の接続プレート収納ケース５９の空洞部５２）の寸法は、天面の凹部（開口孔５１と天面用の接続プレート収納ケース６０の空洞部５２）より前後方向が大きくなっている。
【０１６７】
そして、放熱ユニット２４の底面と第１から第４の貯蔵室ユニット２０，２１，２２，２３の断熱箱２０ｂ，２１ｂ，２２ｂ，２３ｂの天面と底面に設けられた底面用、天面用の接続プレート収納ケース５９，６０の空洞部５２（凹部）内には接続プレート５６が挿入され、底面用、天面用の接続プレート収納ケース５９，６０の空洞部５２（凹部）内に挿入された接続プレート５６は、締結部品５７により空洞部５２（凹部）内に固定され、締結部品５７における各ユニット２０〜２４の左右側面に露出する部分はカバー部材５８で覆われる。また、各ユニット２０〜２４の背面には、上下に隣接する２つのユニットに跨るように複数箇所に接続ピース７６が配置され、接続ピース７６は取付部品７８により各ユニット２０〜２４の背面に固定される。
【０１６８】
本実施の形態のコンポーネント冷蔵庫は、各ユニット２０，２１，２２，２３，２４において、貯蔵室ユニット２０，２１，２２，２３の断熱箱２０ｂ，２１ｂ，２２ｂ，２３ｂの底面の凹部（外箱５０の開口孔５１と底面用の接続プレート収納ケース５９の空洞部５２とで構成）と放熱ユニット２４底面の凹部（開口孔５１と底面用の接続プレート収納ケース５９の空洞部５２とで構成）と、凹部に収納される接続プレート５６との間にできる前後方向の隙間を、断熱箱２０ｂ，２１ｂ，２２ｂ，２３ｂの天面の凹部（外箱５０の開口孔５１と天面用の接続プレート収納ケース６０の空洞部５２とで構成）と断熱箱２０ｂ，２１ｂ，２２ｂ，２３ｂの天面の凹部に収納される接続プレート５６との間にできる前後方向の隙間よりも大きくしたので、各ユニット２０，２１，２２，２３，２４を積み重ねて接続する場合に、上側になる貯蔵室ユニット２０，２１，２２，２３の断熱箱２０ｂ，２１ｂ，２２ｂ，２３ｂの底面の凹部（外箱５０の開口孔５１と底面用の接続プレート収納ケース５９の空洞部５２とで構成）または放熱ユニット２４の底面の凹部（開口孔５１と底面用の接続プレート収納ケース５９の空洞部５２とで構成）に、下側になる貯蔵室ユニット２０，２１，２２，２３の断熱箱２０ｂ，２１ｂ，２２ｂ，２３ｂの天面から突出している接続プレート５６を挿入しやすいという効果がある。
【０１６９】
また、上下方向に隣接する２つの貯蔵室ユニット２０，２１，２２，２３または放熱ユニット２４における前後方向の位置ずれを調節する場合に調節可能な幅を大きくできるため、上下方向に隣接する２つの貯蔵室ユニット２０，２１，２２，２３または放熱ユニット２４における前後方向の位置ずれを修正しやすく、前後方向の位置ずれをより確実に修正できるという効果がある。
【０１７０】
【発明の効果】
以上、説明したように請求項１記載のコンポーネント冷蔵庫の発明は、各貯蔵室ユニットを自由に配置、組み合わせ、容積の変更、増減することができ、各貯蔵室ユニットの連結部分から冷気が漏れるおそれがなく、各貯蔵室内を精度よく温度調節できるコンポーネント冷蔵庫を提供できるという効果がある。また、各貯蔵室ユニットを配置、組み合わせた後、隣接する２つの貯蔵室ユニットを接続する接続手段を使って、接続部分を固定し、組み合わせた状態を維持できるという効果がある。
また、冷蔵庫の周囲からは接続プレートが見えず、接続プレートが貯蔵室ユニットの断熱箱の側面から出っ張らないため、接続部分の美観に優れ、且つ上下方向に隣接する２つの貯蔵室ユニットを接続するという機能も果たすことができるという効果がある。また、断熱箱の天面の凹部を目立たなくでき、各貯蔵室ユニットの接続による制限を意識することなく各貯蔵室ユニットを自由に配置、組み合わせできるという効果がある。また、各貯蔵室ユニットの配置、組み合わせ、及び配置、組み合わせの変更が容易に行えるという効果がある。
さらに、簡単に上下の貯蔵室ユニットの前後左右の位置ずれを修正した状態で上下に積み重ねる貯蔵室ユニットを接続でき、また、一旦接続した貯蔵室ユニットの配置、組み合わせを変更する場合についても、簡単に接続プレートの断熱箱への密着固定状態を解いて上下の貯蔵室ユニットの接続を解除することができるという効果がある。
【０１７３】
また、請求項２記載のコンポーネント冷蔵庫の発明は、請求項１記載の発明の効果に加え、締結部品として螺子を用い、断熱箱の左右側面に露出する螺子の頭部を所定方向に回転させて、接続プレートを貯蔵室ユニットの断熱箱の左右側面と凹部との間の壁に密着させるようにしたので、貯蔵室ユニットの断熱箱への接続プレートの密着固定を、接続プレートの孔と螺子の円柱部との位置合わせ後の螺子の頭部の所定方向への回転により、行うことができる。また、一旦接続した貯蔵室ユニットの配置、組み合わせを変更する場合についても、簡単に接続プレートの断熱箱への密着固定状態を解いて上下の貯蔵室ユニットの接続を解除することができるという効果がある。
【０１７４】
また、請求項３記載のコンポーネント冷蔵庫の発明は、請求項１または２記載の効果に加え、貯蔵室ユニットを積み重ねて接続する場合に、上側になる貯蔵室ユニットの断熱箱の底面の凹部に、下側になる貯蔵室ユニットの断熱箱の天面から突出している接続プレートを挿入しやすいという効果がある。また、上下方向に隣接する２つの貯蔵室ユニットにおける前後方向の位置ずれを修正しやすく、前後方向の位置ずれをより確実に修正できるという効果がある。
【０１７５】
また、請求項４記載のコンポーネント冷蔵庫の発明は、請求項１から３のいずれか一項記載の発明の効果に加え、上下に積み重ねた貯蔵室ユニットの接触面の露付きを防止でき、また、貯蔵室ユニットの断熱箱の底面を連続した一つの平面で構成した場合に較べて、上下に積み重ねた貯蔵室ユニットの接触面の隙間を小さくでき、そのため、上下に積み重ねた貯蔵室ユニットが安定し、美観に優れるという効果がある。
【０１７７】
また、請求項５記載のコンポーネント冷蔵庫の発明は、比較的露が付きやすい部位である断熱箱における扉と対向する貯蔵室の開口部の外周部分と断熱箱の天面部分の外箱の表面に露が付く可能性をさらに大幅に減少できるという効果がある。
【０１７８】
また、請求項６記載のコンポーネント冷蔵庫の発明は、貯蔵室内を冷却するペルチェ素子の放熱面を冷却するブラインの循環経路の一つを構成するブライン冷却器を、貯蔵室ユニットとは別ユニットの放熱ユニットに設ける場合であっても、各貯蔵室ユニットと放熱ユニットとを自由に配置、組み合わせ、及び配置、組み合わせの変更が容易に行えるという効果がある。
【０１７９】
また、請求項７記載のコンポーネント冷蔵庫の発明は、請求項１から６のいずれか一項記載の発明の効果に加え、上側ヒンジと下側ヒンジとにより扉を左右方向に開閉自在に断熱箱に取り付けた貯蔵室ユニットを使用する場合であっても、各貯蔵室ユニットを積み重ねることが可能になり、各貯蔵室ユニットを自由に配置、組み合わせることができるという効果がある。
【０１８０】
また、請求項８記載のコンポーネント冷蔵庫の発明は、複数の貯蔵室ユニットを上下方向に３段以上積み重ねる場合に排水受け皿が一つで済むという効果がある。
【０１８１】
また、請求項９記載のコンポーネント冷蔵庫の発明は、凝縮器または放熱器を備えた貯蔵室ユニットを含む複数の貯蔵室ユニットを上下方向に積み重ねる場合に、凝縮器または放熱器が貯蔵室ユニットの積み重ねの障害にならず、各貯蔵室ユニットを自由に配置、組み合わせることができるという効果がある。また、床面に置く貯蔵室ユニットの断熱箱の底面に車輪または脚を設ける場合でも、各貯蔵室ユニットを自由に配置、組み合わせることができるという効果がある。
【図面の簡単な説明】
【図１】本発明の実施の形態１のコンポーネント冷蔵庫の外観斜視図
【図２】同実施の形態のコンポーネント冷蔵庫の縦断面図
【図３】同実施の形態のコンポーネント冷蔵庫の冷却回路図
【図４】同実施の形態のコンポーネント冷蔵庫における接続手段の周辺部を示す要部縦断面図
【図５】同実施の形態のコンポーネント冷蔵庫における接続手段の接続プレートを貯蔵室ユニットの断熱箱天面の凹部に挿入した状態を示す要部斜視図
【図６】同実施の形態のコンポーネント冷蔵庫における上下に隣接する２つの貯蔵室ユニットの背面の接続方法を示す要部分解斜視図
【図７】同実施の形態のコンポーネント冷蔵庫におけるヒンジの周辺部を示す要部縦断面図
【図８】同実施の形態のコンポーネント冷蔵庫に用いる下側ヒンジの斜視図
【図９】本発明の実施の形態２のコンポーネント冷蔵庫における接続手段の周辺部を示す要部縦断面図
【図１０】従来のコンポーネント冷蔵庫の縦断面図
【符号の説明】
２０    第１の貯蔵室ユニット
２０ａ  第１の貯蔵室
２０ｂ，２１ｂ，２２ｂ，２３ｂ  断熱箱
２０ｃ，２１ｃ，２２ｃ，２３ｃ  扉
２１    第２の貯蔵室ユニット
２１ａ  第２の貯蔵室
２２    第３の貯蔵室ユニット
２２ａ  第３の貯蔵室
２３    第４の貯蔵室ユニット
２３ａ  第４の貯蔵室
２４    放熱ユニット
２６    第１のペルチェ素子
２８    第１のブライン熱交換器
３０    第２のペルチェ素子
３２    第２のブライン熱交換器
３４    第３のペルチェ素子
３６    第３のブライン熱交換器
４０    凝縮器
４３    蒸発器
４５    放熱器（ブライン冷却器）
４６ａ，４６ｂ，４６ｃ  ブライン循環用ポンプ
４７    接続パイプ
５０    外箱
５２    空洞部
５３    接続プレート収納ケース
５４    内箱
５６    接続プレート
５７    締結部品
５９    底面用の接続プレート収納ケース
６０    天面用の接続プレート収納ケース
６１    平面（外周部を構成する平面）
６２    凹んだ面
６３    平面（連続した一つの平面）
６４ａ，６４ｂ，６４ｃ  ブライン循環用外周パイプ
６５ａ，６５ｂ，６５ｃ  ブライン循環用天井パイプ
６６    下側ヒンジ
６７    上側ヒンジ
７１ａ，７１ｂ，７１ｃ  排水パイプ
７２    略Ｔ字型接続パイプ
７３    排水受け皿
７４    車輪
７５    脚
【図１】
0004094267.tif 000002
【図２】
0004094267.tif 000003
【図３】
0004094267.tif 000004
【図４】
0004094267.tif 000005
【図５】
0004094267.tif 000006
【図６】
0004094267.tif 000007
【図７】
0004094267.tif 000008
【図８】
0004094267.tif 000009
【図９】
0004094267.tif 000010
【図１０】
0004094267.tif 000011